(57)【特許請求の範囲】
【請求項１】
ユーザの指が挿入される挿入領域を形成するように前記指を覆う構造の本体と、
前記本体の内周面の少なくとも一領域に形成されて前記指の指紋を認識する指紋検知部と、
前記本体の内周面に形成されて前記指が前記挿入領域に挿入される間前記指が前記指紋検知部に接触するようにガイドするガイド部と、
前記指紋検知部により検知される指紋に基づく機能を実行する制御部とを含み、
前記ガイド部は、前記指紋検知部と重なるように形成され、前記指が前記挿入領域に挿入されると前記本体の内周面から突出し、
前記ガイド部は、
前記指紋検知部と重なるように形成され、前記本体の内周面から予め設定された角度で突出するガイド板と、
前記ガイド板が収納されるように前記本体の内周面の一部が凹んで形成される収納部と、
前記ガイド板が前記収納部から突出するように前記ガイド板の一側を付勢する弾性部と、
前記ガイド板の一端部を前記本体に固定し、前記ガイド板に加わった外力により前記ガイド板が前記収納部に収納されるように前記ガイド板を回動させるヒンジ部とを含み、
前記ガイド板は、前記指が前記挿入領域に挿入されることにより前記ヒンジ部を中心に回動し、前記ガイド部の一側に突設される固定突起は、前記収納部に陥没して形成される固定凹部に嵌合されるように形成されることを特徴とする指輪型移動端末機。
【請求項２】
前記本体の外周面に形成されてユーザのタッチ入力を受信するタッチセンサ部をさらに含み、
前記制御部は、前記タッチ入力に基づいて前記指紋検知部をアクティブ化する、請求項１に記載の指輪型移動端末機。
【請求項３】
前記指紋検知部は、前記本体の内周面に沿って配列される複数の指紋検知ユニットからなり、
前記制御部は、前記タッチ入力に基づいて前記複数の指紋検知ユニットの一部をアクティブ化する、請求項２に記載の指輪型移動端末機。
【請求項４】
前記ガイド部は、前記本体の内周面から突出して前記指紋検知部の両側を囲むように形成され、前記指紋検知部上への前記指の移動をガイドする、請求項２に記載の指輪型移動端末機。
【請求項５】
前記本体は、
外観を形成する外部フレームと、
前記外部フレームに移動可能に装着されて前記本体の内周面を形成する内部フレームとを含み、
前記内部フレームは、前記挿入領域から加わる外力により内周面が拡張されて前記外部フレームに近づくように移動する、請求項１に記載の指輪型移動端末機。
【請求項６】
前記本体は、断絶領域を形成する開ループからなり、外力により前記断絶領域が拡張されるように形成される、請求項１に記載の指輪型移動端末機。
【請求項７】
ディスプレイユニットを備える移動端末機と無線接続するように無線通信部をさらに含み、
前記制御部は、前記指に関する情報を含むグラフィック画像を前記移動端末機のディスプレイユニットに出力するための第１制御命令を前記移動端末機に送信するように前記無線通信部を制御する、請求項１に記載の指輪型移動端末機。
【請求項８】
前記制御部は、前記指紋に対応する外部機器を制御するためにタッチ入力を受信する制御画面を前記移動端末機のディスプレイユニットに出力するための第２制御命令を前記移動端末機に送信するように前記無線通信部を制御する、請求項７に記載の指輪型移動端末機。
【請求項９】
手のジェスチャーを検知するジェスチャー検知部をさらに含み、
前記制御部は、前記ジェスチャーに基づいて、前記指紋に対応する外部機器を制御するための第３制御命令を形成する、請求項７に記載の指輪型移動端末機。
【請求項１０】
前記第３制御命令を通知する通知ウィンドウを前記移動端末機のディスプレイユニットに出力するための第４制御命令を前記移動端末機に送信するように前記無線通信部を制御する、請求項９に記載の指輪型移動端末機。
【請求項１１】
複数の外部機器と無線接続する無線通信部と、
ジェスチャーを検知するジェスチャー検知部とをさらに含み、
前記制御部は、前記複数の外部機器の少なくとも１つの外部機器に前記ジェスチャーに基づく制御命令を送信するように前記無線通信部を制御する、請求項１に記載の指輪型移動端末機。
【請求項１２】
前記複数の外部機器の少なくとも１つは、前記指紋検知部により検知される指紋により決定される、請求項１１に記載の指輪型移動端末機。
【請求項１３】
前記制御部は、前記指紋により複数の外部機器が選択された場合、前記ジェスチャーに基づいて複数の制御命令を形成する、請求項１２に記載の指輪型移動端末機。
【請求項１４】
前記制御部は、同一のジェスチャーにより、前記指紋に対応する異なる制御命令を形成する、請求項１２に記載の指輪型移動端末機。
【請求項１５】
前記制御部は、前記指紋に基づいて異なる制御モードをアクティブ化する、請求項１に記載の指輪型移動端末機。
【請求項１６】
ユーザの血流量を検知して生体情報を収集する血流センサ部をさらに含み、
前記制御部は、前記血流センサ部による生体情報に基づいて前記制御モードを選択する、請求項１５に記載の指輪型移動端末機。
【請求項１７】
前記指が挿入される挿入領域を挟んで配置される電極部と、
前記挿入領域への指の移動を検出する検出部とをさらに含む、請求項１に記載の指輪型移動端末機。
【請求項１８】
前記制御部は、前記検出部により前記指の移動が検出されれば、前記指紋検知部をアクティブ化し、所定の基準時間の間前記指の移動が検出されなければ、前記指紋検知部を非アクティブ状態に切り替える、請求項１７に記載の指輪型移動端末機。
【請求項１９】
前記本体の外周面に形成されて視覚情報を出力するディスプレイ部をさらに含み、
前記制御部は、前記指紋に基づいて前記視覚情報の出力方向を変更する、請求項１に記載の指輪型移動端末機。
【発明の詳細な説明】
【技術分野】
【０００１】
本発明は、指に装着可能な移動端末機に関する。
【背景技術】
【０００２】
端末機は、移動が可能であるか否かによって、移動端末機（mobile/portable terminal）と固定端末機（stationary terminal）に分けられる。さらに、移動端末機は、ユーザが直接携帯可能であるか否かによって、携帯（型）端末機（handheld terminal）と車載端末機（vehicle mount terminal）に分けられる。
【０００３】
このような端末機は、機能が多様化することにより、例えば写真や動画像の撮影、音楽や動画像ファイルの再生、ゲーム、放送受信などの複合的な機能を備えたマルチメディア機器の形で実現されている。さらに、このような端末機の機能をサポート及び向上させるために、端末機の構造的な部分及びソフトウェア的な部分の改良が試みられている。
【０００４】
人の身体の一部に装着可能に形成されるウェアラブル型移動端末機が開発されており、制御信号を送信及び受信する制御装置として、人の指にはめる指輪型構造が実現されている。頭部や手首に装着可能な移動端末機とは異なり、指輪型移動端末機は、指に装着されるので非常に精巧で複雑な動きが検知され、指に固有の指紋が形成されている。
【発明の概要】
【発明が解決しようとする課題】
【０００５】
しかし、現在実現されている指輪型移動端末機は、単に人の指にはめる構造のものであって、人の手に装着された状態で制御命令を検知する単なる制御装置として活用されている。
【０００６】
そこで、本発明は、装着される指を検知し、端末機が装着された指に応じて設定された機能が制御されるようにした指輪型移動端末機を提供することを技術的課題とする。
【課題を解決するための手段】
【０００７】
上記技術的課題を解決するために、本発明の一実施形態による指輪型移動端末機は、ユーザの指が挿入される挿入領域を形成するように前記指を覆う構造の本体と、前記本体の内周面の少なくとも一領域に形成されて前記指の指紋を認識する指紋検知部と、前記本体の内周面に形成されて前記指が前記挿入領域に挿入される間前記指が前記指紋検知部に接触するようにガイドするガイド部と、前記指紋検知部により検知される指紋に基づく機能を実行する制御部とを含む。
【０００８】
本発明の一態様によれば、前記指輪型移動端末機は、ディスプレイユニットを備える移動端末機と無線接続するように無線通信部をさらに含み、前記制御部は、前記指に関する情報を含むグラフィック画像を前記移動端末機のディスプレイユニットに出力するための第１制御命令を送信するように前記無線通信部を制御する。これにより、前記指輪型移動端末機を用いて指紋に基づく機能を直ちに選択し、前記移動端末機を用いてより正確な制御命令を形成することができる。
【０００９】
本発明の一態様によれば、前記指輪型移動端末機は、複数の外部機器と無線接続する無線通信部と、ジェスチャーを検知するジェスチャー検知部とをさらに含み、前記制御部は、前記複数の外部機器の少なくとも１つの外部機器に前記ジェスチャーに基づく制御命令を送信するように前記無線通信部を制御する。これにより、前記指輪型移動端末機を用いてジェスチャー信号に応じた制御命令を形成することができる。
【００１０】
本発明の一態様によれば、前記制御部は、前記指紋に基づいて異なる制御モードをアクティブ化する。これにより、ユーザに適した機器の制御を行うことができる。
【発明の効果】
【００１１】
本発明による指輪型移動端末機においては、指輪型移動端末機の本体の内周面に指紋検知部及び前記指紋検知部と指の接触をガイドするガイド部が形成されており、ユーザが前記指輪型移動端末機に指を挿入する際の指紋検知品質を向上させることができる。
【００１２】
また、本発明による指輪型移動端末機においては、指輪型移動端末機の本体が各指の太さに応じて変形して各指に適した挿入領域が形成されるようにするので、太さの異なる全ての指に前記指輪型移動端末機を適用することができる。
【図面の簡単な説明】
【００１３】
【図１】本発明による移動端末機を説明するためのブロック図である。
【図２Ａ】本発明の一実施形態による指輪型移動端末機を一方向から見た概念図である。
【図２Ｂ】本発明の他の実施形態による指輪型移動端末機を一方向から見た概念図である。
【図２Ｃ】外部機器と無線接続する指輪型移動端末機を説明するための概念図である。
【図３Ａ】図２Ａに示す本発明の一実施形態による指輪型移動端末機の断面図である。
【図３Ｂ】図３Ａに示す本発明の一実施形態による指輪型移動端末機の指紋検知部を説明するための概念図である。
【図３Ｃ】本発明による指紋検知部のアクティブ化方法を説明するためのフローチャートである。
【図４Ａ】本発明のさらに他の実施形態による内周面の一領域に形成された指紋検知部を含む指輪型移動端末機を示す概念図である。
【図４Ｂ】指の位置を指紋検知部にガイドするガイド情報を出力する制御方法を説明するための概念図である。
【図４Ｃ】本発明のさらに他の実施形態による複数の指紋検知ユニットを含む指輪型移動端末機を示す概念図である。
【図４Ｄ】本発明による指輪型移動端末機の制御方法を説明するためのフローチャートである。
【図５Ａ】ガイド部を備える指輪型移動端末機を示す概念図である。
【図５Ｂ】ガイド部を備える指輪型移動端末機を示す概念図である。
【図５Ｃ】ガイド部を備える指輪型移動端末機を示す概念図である。
【図６】本発明のさらに他の実施形態による血流センサ部を備える指輪型移動端末機を説明するための概念図である。
【図７Ａ】挿入領域の大きさを調整できる指輪型移動端末機の構造を説明するための概念図である。
【図７Ｂ】挿入領域の大きさを調整できる指輪型移動端末機の構造を説明するための概念図である。
【図７Ｃ】挿入領域の大きさを調整できる指輪型移動端末機の構造を説明するための概念図である。
【図７Ｄ】挿入領域の大きさを調整できる指輪型移動端末機の構造を説明するための概念図である。
【図８Ａ】本発明のさらに他の実施形態による変形可能な本体を含む指輪型移動端末機を示す概念図である。
【図８Ｂ】本発明のさらに他の実施形態による変形可能な本体を含む指輪型移動端末機を示す概念図である。
【図９Ａ】外部機器を制御する指輪型移動端末機の制御方法を説明するための概念図である。
【図９Ｂ】外部機器を制御する指輪型移動端末機の制御方法を説明するための概念図である。
【図９Ｃ】外部機器を制御する指輪型移動端末機の制御方法を説明するための概念図である。
【図９Ｄ】外部機器を制御する指輪型移動端末機の制御方法を説明するための概念図である。
【図１０Ａ】移動端末機と連動する指輪型移動端末機の制御方法を説明するための概念図である。
【図１０Ｂ】移動端末機と連動する指輪型移動端末機の制御方法を説明するための概念図である。
【図１０Ｃ】移動端末機と連動する指輪型移動端末機の制御方法を説明するための概念図である。
【図１０Ｄ】移動端末機と連動する指輪型移動端末機の制御方法を説明するための概念図である。
【図１０Ｅ】移動端末機と連動する指輪型移動端末機の制御方法を説明するための概念図である。
【図１０Ｆ】移動端末機と連動する指輪型移動端末機の制御方法を説明するための概念図である。
【図１１Ａ】指輪型移動端末機を用いて複数の外部機器を制御する制御方法を説明するための概念図である。
【図１１Ｂ】指輪型移動端末機を用いて複数の外部機器を制御する制御方法を説明するための概念図である。
【図１２Ａ】検知された指紋に対応する機能を実行する制御方法を説明するための概念図である。
【図１２Ｂ】検知された指紋に対応する機能を実行する制御方法を説明するための概念図である。
【図１３】異なる指に装着された指輪型移動端末機による移動端末機の制御方法を説明するための概念図である。
【図１４】指輪型移動端末機の装着位置に基づいて外部機器の制御を制限する制御方法を説明するための概念図である。
【図１５】血流センサ部を用いた生体情報に基づいてモードを実行させる制御方法を説明するための概念図である。
【図１６】指紋に対応する機能を設定する制御方法を説明するための概念図である。
【図１７Ａ】連動する移動端末機のデータを出力する指輪型移動端末機の制御方法を説明するための概念図である。
【図１７Ｂ】連動する移動端末機のデータを出力する指輪型移動端末機の制御方法を説明するための概念図である。
【図１８】指紋検知部により検知された手に応じて画面情報の出力方向を制御する制御方法を説明するための概念図である。
【図１９Ａ】指に応じて異なる制御命令を形成する方法を説明するための概念図である。
【図１９Ｂ】指に応じて異なる制御命令を形成する方法を説明するための概念図である。
【図１９Ｃ】指に応じて異なる制御命令を形成する方法を説明するための概念図である。
【図２０】タッチセンサ及び指紋検知部により検知された指に応じて外部機器を選択的に制御する制御方法を説明するための概念図である。
【図２１】異なるユーザの手に応じた異なる制御方法を説明するための概念図である。
【発明を実施するための形態】
【００１４】
以下、添付図面を参照して本発明の実施形態を詳細に説明するが、同一又は類似の構成要素には同一又は類似の符号を付して重複する説明は省略する。以下の説明で用いられる構成要素の接尾に記載される用語である「モジュール」及び「部」は、明細書の作成を容易にするために付与又は混用されるものであり、それ自体が有意性や有用性を有するものではない。また、本発明の実施形態を説明するにあたって、関連する公知技術についての具体的な説明が本発明の要旨を不明にすると判断される場合は、その詳細な説明を省略する。なお、添付図面は本発明の実施形態を容易に理解できるようにするためのものにすぎず、添付図面により本発明の技術的思想が制限されるものではなく、本発明の思想及び技術範囲に含まれる全ての変更、均等物乃至代替物を含むものと理解すべきである。
【００１５】
第１、第２などのように序数を含む用語は様々な構成要素を説明するために使用されるが、前記構成要素は前記用語により限定されるものではない。前記用語は１つの構成要素を他の構成要素と区別する目的でのみ使用される。
【００１６】
ある構成要素が他の構成要素に「連結」又は「接続」されていると言及された場合は、前記他の構成要素に直接的に連結又は接続されていることもあり、中間にさらに他の構成要素が存在することもある。それに対して、ある構成要素が他の構成要素に「直接連結」又は「直接接続」されていると言及された場合は、中間にさらに他の構成要素が存在しないと理解すべきである。
【００１７】
単数の表現は、特に断らない限り、複数の表現を含む。
【００１８】
本明細書において、「含む」や「有する」などの用語は、明細書に記載された特徴、数字、段階、動作、構成要素、部品又はそれらの組み合わせが存在することを指定しようとするもので、１つ又はそれ以上の他の特徴、数字、段階、動作、構成要素、部品又はそれらの組み合わせの存在や付加可能性を予め排除するものではないと理解すべきである。
【００１９】
本明細書で説明される移動端末機には、携帯電話、スマートフォン、ノートパソコン、デジタル放送端末機、携帯情報端末（Personal Digital Assistants; PDA）、ポータブルマルチメディアプレーヤ（Portable Multimedia Player; PMP）、ナビゲーション、スレートＰＣ、タブレットＰＣ、ウルトラブック、ウェアラブルデバイス（例えば、ウォッチ型端末機、グラス型端末機、ヘッドマウントディスプレイ（Head Mounted Display; HMD））などが含まれる。
【００２０】
しかし、本明細書に開示される実施形態による構成は、移動端末機にのみ適用可能な場合を除き、デジタルテレビ、デスクトップコンピュータ、デジタルサイネージなどの固定端末機にも適用できることを、本発明の属する技術の分野における通常の知識を有する者であれば容易に理解できるであろう。
【００２１】
図１は本発明による移動端末機を説明するためのブロック図である。
【００２２】
移動端末機１００は、無線通信部１１０、入力部１２０、感知部１４０、出力部１５０、インタフェース部１６０、メモリ１７０、制御部１８０、電源供給部１９０などを含む。図１に示す全ての構成要素が移動端末機の実現において必須構成要素であるわけではなく、本発明による移動端末機は、図示の構成要素よりも多い構成要素で実現してもよく、それより少ない構成要素で実現してもよい。
【００２３】
より具体的には、無線通信部１１０は、移動端末機１００と無線通信システム間、移動端末機１００と他の移動端末機間、又は移動端末機１００と外部サーバ間の無線通信を可能にする少なくとも１つのモジュールを含む。また、無線通信部１１０は、移動端末機１００を少なくとも１つのネットワークに接続する少なくとも１つのモジュールを含む。
【００２４】
無線通信部１１０は、例えば放送受信モジュール１１１、移動通信モジュール１１２、無線インターネットモジュール１１３、近距離通信モジュール１１４及び位置情報モジュール１１５の少なくとも１つを含む。
【００２５】
入力部１２０は、画像信号の入力のためのカメラ１２１又は画像入力部、オーディオ信号の入力のためのマイク１２２又はオーディオ入力部、ユーザからの情報の入力のためのユーザ入力部１２３（例えば、タッチキー、プッシュキー（メカニカルキー）など）を含んでもよい。入力部１２０により得られた画像データやオーディオデータは、分析されてユーザの制御命令で処理される。
【００２６】
感知部１４０は、移動端末機１００内の情報、移動端末機１００を囲む周辺環境に関する情報及びユーザ情報の少なくとも１つを感知するための少なくとも１つのセンサを含む。感知部１４０は、例えば近接センサ１４１、照度センサ１４２、タッチセンサ、加速度センサ、磁気センサ、重力センサ、ジャイロセンサ、モーションセンサ、ＲＧＢセンサ、赤外線センサ（ＩＲセンサ）、指紋センサ、超音波センサ、光センサ、カメラ（符号１２１参照）、マイク（符号１２２参照）、バッテリゲージ、環境センサ（例えば、気圧計、湿度計、温度計、放射能センサ、熱センサ、ガスセンサなど）、化学センサ（例えば、電子鼻、ヘルスケアセンサ、生体センサなど）の少なくとも１つを含む。また、本発明による移動端末機は、これらセンサの少なくとも２つのセンサにより感知された情報を組み合わせて活用することができる。
【００２７】
出力部１５０は、視覚、聴覚又は触覚などに関連する出力を発生するように構成される。出力部１５０は、例えばディスプレイ部１５１、音響出力部１５２、ハプティックモジュール１５３、光出力部１５４の少なくとも１つを含む。ディスプレイ部１５１は、タッチセンサとレイヤ構造をなすか又は一体に形成されることにより、タッチスクリーンを実現する。前記タッチスクリーンは、移動端末機１００とユーザ間の入力インタフェースを提供するユーザ入力部１２３として機能すると共に、移動端末機１００とユーザ間の出力インタフェースを提供する。
【００２８】
インタフェース部１６０は、移動端末機１００に接続される各種外部機器との通路の役割を果たす。インタフェース部１６０は、例えば有無線ヘッドセットポート、外部充電器ポート、有無線データポート、メモリカードポート、識別モジュールが備えられた装置を接続するポート、オーディオＩ／Ｏ（Input/Output）ポート、ビデオＩ／Ｏポート、イヤホンポートの少なくとも１つを含む。移動端末機１００においては、インタフェース部１６０への外部機器の接続に対応して、接続された外部機器を制御することができる。
【００２９】
メモリ１７０は、移動端末機１００の様々な機能をサポートするデータを保存する。メモリ１７０は、移動端末機１００で起動される複数のアプリケーションプログラム（又はアプリケーション）、移動端末機１００の動作のためのデータやコマンドを保存する。前記アプリケーションプログラムの少なくとも一部は、無線通信により外部サーバからダウンロードすることができる。また、前記アプリケーションプログラムの他の少なくとも一部は、移動端末機１００の基本機能（例えば、電話着発信機能、メッセージ送受信機能）のために工場出荷時に移動端末機１００にインストールされている。さらに、前記アプリケーションプログラムは、メモリ１７０に保存され、移動端末機１００にインストールされ、制御部１８０により移動端末機１００の動作（又は機能）のために起動されるようにすることができる。
【００３０】
制御部１８０は、前記アプリケーションプログラムに関する動作に加え、通常の移動端末機１００の全般的な動作を制御する。制御部１８０は、前述した構成要素により入力又は出力される信号、データ、情報などを処理したり、メモリ１７０に保存されたアプリケーションプログラムを起動することにより、ユーザに適切な情報又は機能を提供又は処理することができる。
【００３１】
また、制御部１８０は、メモリ１７０に保存されたアプリケーションプログラムの起動のために、図１に示す移動端末機１００の構成要素の少なくとも一部を制御することができる。さらに、制御部１８０は、前記アプリケーションプログラムの起動のために、移動端末機１００の構成要素の少なくとも２つを組み合わせて動作させることができる。
【００３２】
電源供給部１９０は、制御部１８０の制御下で、供給された外部の電源又は内部の電源を移動端末機１００の各構成要素に供給する。電源供給部１９０は、バッテリを含んでもよい。前記バッテリは、内蔵バッテリ又は交換可能なバッテリであってもよい。
【００３３】
前記構成要素の少なくとも一部は、後述する様々な実施形態による移動端末機の動作、制御又は制御方法を実現するために互いに連携して動作することもある。また、前記移動端末機の動作、制御又は制御方法は、前記移動端末機のメモリに保存された少なくとも１つのアプリケーションプログラムの起動により実現されることもある。
【００３４】
以下、前述した移動端末機１００により実現される様々な実施形態を説明する前に、前述した移動端末機１００の構成要素について図１を参照してより具体的に説明する。
【００３５】
無線通信部１１０の放送受信モジュール１１１は、放送チャネルを介して、外部の放送管理サーバから放送信号及び／又は放送関連情報を受信する。前記放送チャネルは、衛星チャネル及び地上波チャネルを含む。少なくとも２つの放送チャネルの同時放送受信又は放送チャネルのスイッチングのために、放送受信モジュール１１１は、移動端末機１００に２つ以上備えられてもよい。
【００３６】
無線通信部１１０の移動通信モジュール１１２は、移動通信のための技術標準又は通信方式（例えば、ＧＳＭ（Global System for Mobile communication）、ＣＤＭＡ（Code Division Multi Access）、ＣＤＭＡ２０００（Code Division Multi Access 2000）、ＥＶ−ＤＯ（Enhanced Voice-Data Optimized or Enhanced Voice-Data Only）、ＷＣＤＭＡ（Wideband CDMA）、ＨＳＤＰＡ（High Speed Downlink Packet Access）、ＨＳＵＰＡ（High Speed Uplink Packet Access）、ＬＴＥ（Long Term Evolution）、ＬＴＥ−Ａ（Long Term Evolution-Advanced）など）により構築された移動通信網上で基地局、外部の端末、サーバの少なくとも１つと無線信号を送受信する。
【００３７】
前記無線信号は、音声呼信号、テレビ電話呼信号、又はＳＭＳ／ＭＭＳメッセージの送受信による様々な形態のデータを含む。
【００３８】
無線通信部１１０の無線インターネットモジュール１１３は、無線インターネットの接続のためのモジュールであり、移動端末機１００に内蔵されるか又は外付けされる。無線インターネットモジュール１１３は、無線インターネット技術による通信網で無線信号を送受信するように構成される。
【００３９】
無線インターネット技術としては、例えばＷＬＡＮ（Wireless LAN）、Ｗｉ−Ｆｉ（Wireless Fidelity）、Ｗｉ−Ｆｉダイレクト（Wireless Fidelity Direct）、ＤＬＮＡ（Digital Living Network Alliance）、Ｗｉｂｒｏ（Wireless Broadband）、ＷｉＭＡＸ（Worldwide Interoperability for Microwave Access）、ＨＳＤＰＡ、ＨＳＵＰＡ、ＬＴＥ、ＬＴＥ−Ａなどがあり、無線インターネットモジュール１１３は、列挙していない無線インターネット技術をも含む範囲で少なくとも１つの無線インターネット技術によりデータを送受信する。
【００４０】
Ｗｉｂｒｏ、ＨＳＤＰＡ、ＨＳＵＰＡ、ＧＳＭ、ＣＤＭＡ、ＷＣＤＭＡ、ＬＴＥ、ＬＴＥ−Ａなどによる無線インターネット接続が移動通信網を介して行われるという観点から、前記移動通信網を介して無線インターネット接続を行う無線インターネットモジュール１１３は、移動通信モジュール１１２の一種として理解してもよい。
【００４１】
無線通信部１１０の近距離通信モジュール１１４は、近距離通信のためのモジュールであり、ブルートゥース（BluetoothTM）、ＲＦＩＤ（Radio Frequency Identification）、ＩｒＤＡ（Infrared Data Association）、ＵＷＢ（Ultra Wideband）、ＺｉｇＢｅｅ、ＮＦＣ（Near Field Communication）、Ｗｉ−Ｆｉ、Ｗｉ−Ｆｉダイレクト、ワイヤレスＵＳＢ（Wireless Universal Serial Bus）の少なくとも１つの技術を用いて近距離通信をサポートする。近距離通信モジュール１１４は、近距離無線通信網（近距離無線エリアネットワーク）を介して、移動端末機１００と無線通信システム間、移動端末機１００と他の移動端末機間、又は移動端末機１００と外部サーバ間の無線通信をサポートする。前記近距離無線通信網（近距離無線エリアネットワーク）は、近距離ワイヤレスパーソナルエリアネットワーク（Wireless Personal Area Network）であってもよい。
【００４２】
前記他の移動端末機は、本発明による移動端末機１００とデータ交換が可能な（又は連動可能な）ウェアラブルデバイス（例えば、ウォッチ型端末機、グラス型端末機、ヘッドマウントディスプレイ）などを含む。近距離通信モジュール１１４は、移動端末機１００の周辺に位置する、移動端末機１００と通信可能なウェアラブルデバイスを感知（又は認識）することができる。さらに、制御部１８０は、前記感知されたウェアラブルデバイスが移動端末機１００との通信を認証されたデバイスの場合、移動端末機１００で処理されるデータの少なくとも一部を、近距離通信モジュール１１４を介して前記ウェアラブルデバイスに送信することができる。よって、前記ウェアラブルデバイスのユーザは、移動端末機１００で処理されるデータを、前記ウェアラブルデバイスで用いることができる。例えば、ユーザは、移動端末機１００に電話がかかってきた場合に前記ウェアラブルデバイスで通話を行ったり、移動端末機１００にメッセージが受信された場合に前記ウェアラブルデバイスで前記受信されたメッセージを確認したりすることができる。
【００４３】
無線通信部１１０の位置情報モジュール１１５は、移動端末機１００の位置（又は現在の位置）を取得するためのモジュールであり、代表的な例としては、ＧＰＳ（Global Position System）モジュールとＷｉ−Ｆｉモジュールがある。一例として、移動端末機１００は、ＧＰＳモジュールを用いた場合、ＧＰＳ衛星から送られる信号を用いて、移動端末機１００の位置を取得することができる。他の例として、移動端末機１００は、Ｗｉ−Ｆｉモジュールを用いた場合、当該Ｗｉ−Ｆｉモジュールと無線信号を送信又は受信する無線ＡＰ（Wireless Access Point）の情報に基づいて、移動端末機１００の位置を取得することができる。必要に応じて、位置情報モジュール１１５は、置換的又は付加的に、移動端末機１００の位置に関するデータを得るために、無線通信部１１０の他のモジュールのいずれかの機能を実行することができる。位置情報モジュール１１５は、移動端末機１００の位置（又は現在の位置）を取得するために用いられるモジュールであり、移動端末機１００の位置を直接計算又は取得するモジュールに限定されるものではない。
【００４４】
入力部１２０は、画像情報（もしくは信号）、オーディオ情報（もしくは信号）、又はユーザからの情報の入力のためのものであり、画像情報の入力のために１つ又は複数のカメラ１２１を備える。入力部１２０のカメラ１２１は、テレビ電話モード又は撮影モードでイメージセンサにより得られる静止画像又は動画像などの画像フレームを処理する。カメラ１２１で処理された画像フレームは、ディスプレイ部１５１に表示したり、メモリ１７０に保存することができる。移動端末機１００に備えられる複数のカメラ１２１は、マトリクス構造に配置されてもよく、この場合、マトリクス構造に配置された複数のカメラ１２１により、移動端末機１００に様々な角度又は焦点の複数の画像情報を入力することができる。また、複数のカメラ１２１は、立体画像を実現するための左画像及び右画像を取得できるように、ステレオ構造に配置されてもよい。
【００４５】
入力部１２０のマイク１２２は、外部の音響信号を電気的な音声データに処理する。マイク１２２で処理された音声データは、移動端末機１００で実行中の機能（又はアプリケーションプログラム）によって多様に活用することができる。マイク１２２には、外部の音響信号が入力される過程で発生するノイズを除去するための様々なノイズ除去アルゴリズムが実現される。
【００４６】
入力部１２０のユーザ入力部１２３は、ユーザからの情報の入力のためのものであり、ユーザ入力部１２３により情報が入力されると、制御部１８０は、入力された情報に対応して移動端末機１００の動作を制御することができる。ユーザ入力部１２３は、機械式入力手段（又はメカニカルキー、例えば移動端末機１００の前面、背面又は側面に位置するボタン、ドームスイッチ、ジョグホイール、ジョグスイッチなど）及びタッチ式入力手段を含んでもよい。前記タッチ式入力手段は、例えば、ソフトウェア的な処理によりタッチスクリーンに表示される仮想キー、ソフトキー又はビジュアルキーからなるようにしてもよく、前記タッチスクリーン以外の部分に配置されるタッチキーからなるようにしてもよい。また、前記仮想キー又は前記ビジュアルキーは、様々な形態で前記タッチスクリーン上に表示されるようにしてもよく、例えばグラフィック、テキスト、アイコン、ビデオ又はそれらの組み合わせからなる。
【００４７】
感知部１４０は、移動端末機１００内の情報、移動端末機１００を囲む周辺環境に関する情報及びユーザ情報の少なくとも１つを感知し、それに対応する感知信号を発生する。制御部１８０は、前記感知信号に基づいて、移動端末機１００の駆動又は動作を制御したり、移動端末機１００にインストールされたアプリケーションプログラムに関するデータ処理、機能又は動作を実行することができる。感知部１４０に含まれる様々なセンサのうち代表的なセンサについてより具体的に説明すると次の通りである。
【００４８】
まず、近接センサ１４１とは、電磁界の力又は赤外線などを利用して、所定の検出面に近づく物体又は近傍に存在する物体の有無を機械的な接触なしに検出できるセンサをいう。近接センサ１４１は、前記タッチスクリーンにより覆われる移動端末機１００の内部領域又は前記タッチスクリーンの近くに配置されてもよい。
【００４９】
近接センサ１４１としては、透過型光電センサ、拡散反射型光電センサ、回帰反射型光電センサ、高周波発振型近接センサ、静電容量型近接センサ、磁気近接センサ、赤外線近接センサなどがある。静電式タッチスクリーンの場合、近接センサ１４１は、導電性を有する物体の近接による電界の変化から当該物体の近接を検出するように構成されてもよい。この場合、タッチスクリーン（又はタッチセンサ）自体が近接センサにも分類される。
【００５０】
以下、説明の便宜上、前記物体を前記タッチスクリーン上に接触させるのではなく近接させて前記物体が前記タッチスクリーン上に位置することを認識させることを「近接タッチ（proximity touch）」といい、前記物体を前記タッチスクリーン上に実際に接触させることを「接触タッチ（contact touch）」という。前記物体により近接タッチされる前記タッチスクリーン上の位置とは、前記物体が近接タッチされる際に前記物体が前記タッチスクリーンに対して垂直に対応する位置を意味する。
【００５１】
近接センサ１４１は、近接タッチ動作及び近接タッチパターン（例えば、近接タッチ距離、近接タッチ方向、近接タッチ速度、近接タッチ時間、近接タッチ位置、近接タッチ移動状態など）を感知することができる。一方、制御部１８０は、近接センサ１４１により感知された近接タッチ動作及び近接タッチパターンに対応するデータ（又は情報）を処理し、また、処理されたデータに対応する視覚的な情報を前記タッチスクリーン上に出力させることができる。さらに、制御部１８０は、前記タッチスクリーン上の同一地点へのタッチが近接タッチであるか、接触タッチであるかによって、異なる動作又はデータ（もしくは情報）が処理されるように移動端末機１００を制御することができる。
【００５２】
次に、タッチセンサは、抵抗膜式、静電容量式、赤外線式、超音波式、磁気式などの様々なタッチ方式のうち少なくとも１つを用いて、前記タッチスクリーン（又はディスプレイ部１５１）へのタッチ（又はタッチ入力）を感知する。
【００５３】
一例として、前記タッチセンサは、前記タッチスクリーンの特定部位に加わった圧力又は前記タッチスクリーンの特定部位に発生する静電容量などの変化を電気的な入力信号に変換するように構成されてもよい。前記タッチセンサは、前記タッチスクリーンをタッチするタッチ手段により当該タッチセンサ上でタッチされる位置、面積、タッチ時の圧力、タッチ時の静電容量などを検出できるように構成されてもよい。ここで、前記タッチ手段とは、前記タッチセンサをタッチする物体をいい、例えば指、タッチペン又はスタイラスペン、ポインタなどがある。
【００５４】
前記タッチセンサへのタッチ入力がある場合、それに対応する信号がタッチ制御装置に送られる。前記タッチ制御装置は、その信号を処理して対応するデータを制御部１８０に送る。これにより、制御部１８０は、ディスプレイ部１５１のどの領域がタッチされたかなどを把握することができる。ここで、前記タッチ制御装置は、制御部１８０とは別の構成要素であってもよく、制御部１８０自体であってもよい。
【００５５】
また、制御部１８０は、前記タッチスクリーン（又は前記タッチスクリーン以外の部分に配置されるタッチキー）をタッチするタッチ手段の種類によって異なる制御を行うこともでき、同じ制御を行うこともできる。前記タッチ手段の種類によって異なる制御を行うか、同じ制御を行うかは、移動端末機１００の現在の動作状態又は実行中のアプリケーションプログラムによって決定されるようにしてもよい。
【００５６】
一方、前記タッチセンサ及び近接センサ１４１は、独立して又は組み合わせて、前記タッチスクリーンへのショートタッチ（又はタップ）、ロングタッチ、マルチタッチ、ドラッグ、フリック、ピンチイン、ピンチアウト、スワイプ、ホバーなどの様々な方式のタッチを感知することができる。
【００５７】
次に、超音波センサは、超音波を用いて、感知対象の位置情報を認識することができる。制御部１８０は、光センサと複数の超音波センサから感知される情報に基づいて、波動発生源の位置を算出することができる。波動発生源の位置は、光のほうが超音波より非常に速いこと、すなわち光が光センサに到達する時間が、超音波が超音波センサに到達する時間より非常に速いことを利用して算出することができる。より具体的には、波動発生源の位置は、光を基準信号として超音波が到達する時間との時間差を利用して算出することができる。
【００５８】
一方、前述した入力部１２０のカメラ１２１は、カメラセンサ（例えば、ＣＣＤ、ＣＭＯＳなど）、フォトセンサ（又はイメージセンサ）及びレーザセンサの少なくとも１つを含む。
【００５９】
前記カメラセンサと前記レーザセンサとを組み合わせ、３次元立体画像への前記感知対象のタッチを感知するようにしてもよい。前記フォトセンサは、前記タッチスクリーンに近接する前記感知対象の動きをスキャンするように構成され、ディスプレイ素子に積層されるようにしてもよい。より具体的には、前記フォトセンサは、フォトダイオードとトランジスタ（ＴＲ）を行列状に実装し、前記フォトダイオードに入る光の量に応じて変化する電気的信号を用いて、前記フォトセンサ上に載置されるものをスキャンする。すなわち、前記フォトセンサは、光の変化量に応じた前記感知対象の座標を計算し、それに基づいて前記感知対象の位置情報を取得する。
【００６０】
出力部１５０のディスプレイ部１５１は、移動端末機１００で処理される情報を表示（出力）する。例えば、ディスプレイ部１５１は、移動端末機１００で起動されるアプリケーションプログラムの実行画面情報、又は当該実行画面情報に応じたＵＩ（User Interface）、ＧＵＩ（Graphic User Interface）情報を表示する。
【００６１】
また、ディスプレイ部１５１は、立体画像を表示する立体ディスプレイ部として構成されてもよい。
【００６２】
前記立体ディスプレイ部には、ステレオスコピック方式（眼鏡方式）、オートステレオスコピック方式（裸眼方式）、プロジェクション方式（ホログラフィック方式）などの３次元ディスプレイ方式が適用される。
【００６３】
出力部１５０の音響出力部１５２は、呼受信モード、通話モード、録音モード、音声認識モード、又は放送受信モードなどで、無線通信部１１０から受信するか、又はメモリ１７０に保存されたオーディオデータを出力する。音響出力部１５２は、移動端末機１００で実行される機能（例えば、呼信号受信音、メッセージ受信音など）に関連する音響信号も出力する。このような音響出力部１５２は、レシーバ、スピーカ、ブザーなどを含む。
【００６４】
出力部１５０のハプティックモジュール１５３は、ユーザが感じることのできる様々な触覚効果を発生する。ハプティックモジュール１５３が発生する触覚効果の代表的な例としては振動がある。ハプティックモジュール１５３が発生する振動の強度やパターンなどは、ユーザの選択又は制御部１８０の設定により制御することができる。例えば、ハプティックモジュール１５３は、異なる振動を合成して出力することもでき、順次出力することもできる。
【００６５】
ハプティックモジュール１５３は、振動の他にも、皮膚接触面に対して垂直運動するピン配列、噴射口又は吸入口を用いた空気の噴射力又は吸入力、皮膚表面に対する擦れ、電極の接触、静電気力などの刺激による効果や、吸熱又は発熱が可能な素子を用いた冷温感の再現による効果など、様々な触覚効果を発生することができる。
【００６６】
ハプティックモジュール１５３は、直接的な接触により触覚効果を伝えることができるだけでなく、ユーザが指や腕などの筋感覚により触覚効果を感じるように実現することもできる。ハプティックモジュール１５３は、移動端末機１００の構成態様に応じて２つ以上備えてもよい。
【００６７】
出力部１５０の光出力部１５４は、移動端末機１００の光源の光を用いてイベント発生を通知するための信号を出力する。移動端末機１００で発生するイベントとしては、呼信号受信、メッセージ受信、不在着信、アラーム、スケジュール通知、電子メール受信、アプリケーションによる情報受信などがある。
【００６８】
光出力部１５４により出力される信号は、移動端末機１００が前面又は背面から単色又は複数色の光を発光することにより実現される。前記信号の出力は、移動端末機１００がユーザのイベント確認を感知することにより終了するようにしてもよい。
【００６９】
インタフェース部１６０は、移動端末機１００に接続される全ての外部機器との通路の役割を果たす。インタフェース部１６０は、外部機器からデータを受信するか、供給された電源を移動端末機１００内部の各構成要素に送るか、又は移動端末機１００内部のデータを外部機器に送信する。インタフェース部１６０は、例えば有無線ヘッドセットポート、外部充電器ポート、有無線データポート、メモリカードポート、識別モジュールが備えられた装置を接続するポート、オーディオＩ／Ｏポート、ビデオＩ／Ｏポート、イヤホンポートなどを含む。
【００７０】
前記識別モジュールは、移動端末機１００の使用権限を認証するための各種情報を保存したチップであり、ユーザ識別モジュール（User Identity Module; UIM）、加入者識別モジュール（Subscriber Identity Module; SIM）、汎用加入者識別モジュール（Universal Subscriber Identity Module; USIM）などを含む。前記識別モジュールが備えられた装置（以下、識別装置という）は、スマートカード形式で製造されてもよい。よって、前記識別装置は、インタフェース部１６０を介して移動端末機１００に接続することができる。
【００７１】
また、インタフェース部１６０は、移動端末機１００が外部のクレードルに接続された場合、前記クレードルからの電源が移動端末機１００に供給される通路となり、ユーザにより前記クレードルから入力される各種命令信号が移動端末機１００に伝達される通路となる。前記クレードルから入力される各種命令信号又は電源は、移動端末機１００が前記クレードルに正しく取り付けられたことを認知するための信号としても機能する。
【００７２】
メモリ１７０は、制御部１８０の動作のためのプログラムを保存することもでき、入出力されるデータ（例えば、電話帳、メッセージ、静止画像、動画像など）を一時保存することもできる。メモリ１７０は、前記タッチスクリーンへのタッチ入力時に出力される様々なパターンの振動及び音響に関するデータを保存することもできる。
【００７３】
メモリ１７０は、フラッシュメモリタイプ、ハードディスクタイプ、ＳＳＤ（Solid State Drive）タイプ、ＳＤＤ（Silicon Disk Drive）タイプ、マルチメディアカードマイクロタイプ、カードタイプのメモリ（例えば、ＳＤ又はＸＤメモリなど）、ＲＡＭ（Random Access Memory）、ＳＲＡＭ（Static Random Access Memory）、ＲＯＭ（Read-Only Memory）、ＥＥＰＲＯＭ（Electrically Erasable Programmable Read-Only Memory）、ＰＲＯＭ（Programmable Read-Only Memory）、磁気メモリ、磁気ディスク及び光ディスクの少なくとも１つのタイプの記憶媒体を含む。移動端末機１００は、インターネット上でメモリ１７０の保存機能を実行するウェブストレージに関連して動作することもできる。
【００７４】
一方、制御部１８０は、前述したように、アプリケーションプログラムに関する動作と、通常の移動端末機１００の全般的な動作を制御する。例えば、制御部１８０は、移動端末機１００の状態が設定条件を満たす場合、アプリケーションに対するユーザの制御命令の入力を制限するロック状態を実行又は解除することができる。
【００７５】
また、制御部１８０は、音声通話、データ通信、テレビ電話などに関連する制御及び処理を行うこともでき、前記タッチスクリーン上で行われる手書き入力及び手描き入力をそれぞれ文字及び画像として認識するパターン認識処理を行うこともできる。さらに、制御部１８０は、後述する様々な実施形態を本発明による移動端末機１００において実現するために、前述した移動端末機１００の構成要素のいずれか又は複数を組み合わせて制御することができる。
【００７６】
電源供給部１９０は、制御部１８０の制御下で、供給された外部の電源又は内部の電源を移動端末機１００の各構成要素に必要に応じて供給する。電源供給部１９０は、バッテリを含んでもよい。前記バッテリは、充電可能な内蔵バッテリであってもよく、充電などのために端末機本体に脱着可能に結合されるものであってもよい。
【００７７】
電源供給部１９０は、接続ポートをさらに含んでもよい。前記接続ポートは、前記バッテリの充電のために電源を供給する外部充電器が電気的に接続されるインタフェース１６０の一例として構成されてもよい。
【００７８】
他の例として、電源供給部１９０は、前記接続ポートを用いるのではなく、無線方式で前記バッテリを充電するように構成されてもよい。この場合、電源供給部１９０は、外部の無線電力送信装置から、電磁誘導現象に基づく電磁誘導方式又は電磁界共鳴現象に基づく電磁界共鳴方式の少なくとも１つを用いて電力を受信する。
【００７９】
以下に説明する様々な実施形態は、例えばソフトウェア、ハードウェア又はそれらの組み合わせにより、コンピュータ又はそれと類似の装置で読み取りが可能な記録媒体内で実現することができる。
【００８０】
以下、このように構成された移動端末機で実現できる制御方法に関する実施形態について添付図面を参照して説明する。本発明の思想及び必須の特徴を逸脱しない範囲で本発明の他の特定の形態への具体化が可能であることは、当業者にとって自明である。
【００８１】
図２Ａ及び図２Ｂは本発明の異なる実施形態による指輪型移動端末機を一方向から見た概念図である。図２Ｃは外部機器と無線接続する指輪型移動端末機を説明するための概念図である。
【００８２】
図２Ａに示すように、本発明の一実施形態による移動端末機１００は、指が挿入される挿入領域１０１’が形成されて前記指を覆うように構成されるリング状の本体１０１からなる。本体１０１は、所定の幅（ｗ）及び厚さ（ｄ）に形成される。本体１０１の幅（ｗ）及び厚さ（ｄ）は一定でなくてもよい。本体１０１には、ユーザの入力を受信するユーザ入力部及び情報を出力する出力部を構成する電子部品が装着される。
【００８３】
図２Ｃを参照すると、移動端末機１００は、少なくとも１つの外部機器２００と無線接続することができる。移動端末機１００の無線通信部１１０は、移動端末機１００に近い位置にあるか又は移動端末機１００と無線接続されるように設定された少なくとも１つの外部機器２００と無線信号を送信及び受信することができる。
【００８４】
例えば、移動端末機１００は、ユーザの指のいずれかに装着することができる。ユーザは移動端末機１００を指にはめてジェスチャーコマンドを入力することができる。制御部１８０は、前記ジェスチャーコマンドを外部機器２００に送信するように無線通信部１１０を制御する。すなわち、ユーザは指に着用した移動端末機１００に制御命令を出して外部機器２００を制御することができる。
【００８５】
移動端末機１００は、本体１０１の内周面に形成される指紋検知部を含む。前記指紋検知部は、移動端末機１００がはめられたユーザの指に形成された固有の指紋を検知する。
【００８６】
図２Ｂは本体１０１の外周面にディスプレイ部１５１が形成された移動端末機を示す。ディスプレイ部１５１は、本体１０１の外周面の一領域に配置されるが、これに限定されるものではない。ディスプレイ部１５１は、前記移動端末機の機能に応じた視覚情報を出力する。
【００８７】
なお、本発明による移動端末機の外観は、図示の形態に限定されるものではない。
【００８８】
本発明による移動端末機は、本体の内周面に形成されてユーザの指の指紋を認識する指紋検知部を含み、前記指紋検知部により検知される指紋に基づいて異なる機能をアクティブ化することができる。
【００８９】
以下、指紋検知部を含む指輪型移動端末機の具体的な構造について説明する。
【００９０】
まず、図３Ａを参照して、本発明の一実施形態による指輪型移動端末機の構造について説明する。
【００９１】
図３Ａは図２Ａに示す本発明の一実施形態による指輪型移動端末機の断面図である。
【００９２】
本発明の一実施形態による指輪型移動端末機１００は、挿入領域１０１’を形成するようにリング構造に形成されて内周面及び外周面からなるフレーム１０２、第１指紋検知部４１０、タッチセンサ部１２４、電極部１４３、検出部１４４、無線通信部１１０、フレキシブルプリント基板１８１及び電源供給部１９０を含んでもよい。同図には具体的に示していないが、指輪型移動端末機１００は、フレーム１０２及びフレーム１０２に装着される構成要素を囲むように形成される外部ケースをさらに含んでもよい。
【００９３】
指輪型移動端末機１００を構成するフレーム１０２及び外部ケースは、ステンレススチールからなるようにしてもよい。しかし、フレーム１０２及び外部ケースの材料は、これらに限定されるものではなく、金属性材料、プラスチック、弾性材料などであってもよい。
【００９４】
指輪型移動端末機１００の外部及び内部は、異なる材料で形成してもよい。例えば、前記外部ケースはステンレススチールで形成し、内周面は弾性材料で形成してもよい。あるいは、放熱の向上のために前記外部ケースは金属材質で形成し、内周面は汗を吸収しやすい材質で形成してもよい。同図には具体的に示していないが、前記外部ケースには、放熱のための複数の孔が形成されてもよい。例えば、前記複数の孔は、前記外部ケースから前記内周面に向けて形成されてもよく、挿入領域１０１’にまで拡張されてもよい。前記複数の孔は、第１指紋検知部４１０に隣接して配置されてもよい。
【００９５】
タッチセンサ部１２４は、フレーム１０２の外周面の少なくとも一部領域に形成される。タッチセンサ部１２４は、ユーザのタッチ入力を受信して制御命令を形成することができる。同図には具体的に示していないが、タッチセンサ部１２４がフレーム１０２の外周面の一部領域に形成された場合、フレーム１０２は、タッチセンサ部１２４の形成領域を表示する突出部（図示せず）をさらに含んでもよい。なお、タッチセンサ部１２４の形成領域は、同図に示す領域に限定されるものではない。
【００９６】
フレーム１０２の外周面に沿って無線通信部１１０が形成されてもよい。無線通信部１１０は、ＲＦアンテナ及び通信モジュールを含んでもよい。例えば、指輪型移動端末機１００の外観を形成する外部ケースが金属からなる場合、前記外部ケースは、アンテナ放射体として動作することができる。制御部１８０は、無線通信部１１０により外部機器と無線通信を行って無線信号を送信及び受信することができる。例えば、無線通信部１１０は、近距離通信方法として、ブルートゥース、ＲＦＩＤ、ＩｒＤＡ、ＵＷＢ、ＺｉｇＢｅｅ、ＮＦＣなどの近距離通信技術を用いることができる。制御部１８０は、指輪型移動端末機１００がアクティブ化されると、近接した外部機器と無線通信を行うように無線通信部１１０を制御したり、複数の外部機器のうち予め設定された外部機器と無線接続するように無線通信部１１０を制御することができる。
【００９７】
電極部１４３及び検出部１４４は、フレーム１０２の内周面の一部に形成される。電極部１４３及び検出部１４４は、挿入領域１０１’を貫通する指の動きを検出する。すなわち、検出部１４４は、指輪型移動端末機１００が指にはめられたり指から抜けたりする動作を検出する。
【００９８】
具体的には、電極部１４３は、挿入領域１０１’を介して対となる（＋）電極及び（−）電極からなる。前記一対の電極は、フレーム１０２の内周面に隣接して配置される。検出部１４４は、前記一対の電極の電磁場の変化を検出する。検出部１４４は、前記一対の電極の変化を検知することにより、前記指が挿入領域１０１’に出入りする、すなわち挿入領域１０１’を貫通して移動する方向を検出することができる。つまり、検出部１４４により、ユーザが指輪型移動端末機１００を指にはめている状態であるか、指輪型移動端末機１００を指から抜いている状態であるかを検出することができる。制御部１８０は、検出部１４４に基づいて、指輪型移動端末機１００が指を移動する方向によって異なる機能がアクティブ化されるように制御することができる。
【００９９】
一方、指輪型移動端末機１００は、電極部１４３と検出部１４４の代わりに、赤外線センサで構成される近接センサ（図示せず）を含んでもよい。前記近接センサは、指輪型移動端末機１００の挿入領域１０１’への指の近接を検出することができる。
【０１００】
フレキシブルプリント基板１８１は、フレーム１０２の内部に配置される。同図にはフレーム１０２の内周面と外周面との間に配置されることを示すが、これに限定されるものではない。例えば、フレキシブルプリント基板１８１は、フレーム１０２の外周面に形成され、前記外部ケースにより覆われるようにしてもよい。フレキシブルプリント基板１８１は、フレーム１０２の内部に配置される電子部品に接続され、前記制御命令を形成する。
【０１０１】
電源供給部１９０は、フレーム１０２に内蔵される。電源供給部１９０は、曲面からなる異型バッテリで構成されてもよい。前記バッテリは、フレーム１０２の曲率に対応して曲がった形状からなり、フレーム１０２の内部に装着される。
【０１０２】
指輪型移動端末機１００は、外部機器と有線接続するためのインタフェース部（図示せず）を含んでもよい。電源供給部１９０は、前記インタフェース部を介して有線で充電するか、又は無線充電方式で充電することができる。
【０１０３】
第１指紋検知部４１０は、フレーム１０２の内周面に形成される。制御部１８０は、第１指紋検知部４１０により、指輪型移動端末機１００を装着するユーザ及び指輪型移動端末機１００が装着されるユーザの指を検知することができる。本実施形態による第１指紋検知部４１０は、フレーム１０２の内周面に沿って閉ループを形成するように形成される。つまり、ユーザは、指輪型移動端末機１００の内周面のいずれかの領域に指を接触させて指紋を認識させることができる。
【０１０４】
図３Ｂは図３Ａに示す本発明の一実施形態による指輪型移動端末機の指紋検知部を説明するための概念図であり、第１指紋検知部４１０により得られる断片的（部分的）な指紋画像の例を示す。例えば、ユーザが人差し指を第１指紋検知部４１０に接触させてスライド方式で移動することにより指輪型移動端末機１００を人差し指にはめると、第１指紋検知部４１０は、スライド方式で通過する人差し指の断片的な指紋画像Ｐ１〜Ｐ４を連続して取得する。つまり、指紋画像Ｐ１〜Ｐ４は、断片的であるが連続して順次取得されるので、１つの画像に整合することができる。
【０１０５】
制御部１８０は、指紋画像Ｐ１〜Ｐ４を予め保存されたユーザの指紋と比較し、指紋画像Ｐ１〜Ｐ４と前記予め保存されたユーザの指紋が一致する場合、予め設定された機能を実行する。
【０１０６】
本実施形態によれば、挿入領域１０１’に指が挿入されるときに、第１指紋検知部４１０により指紋が検知される。よって、指輪型移動端末機１００は、挿入された指を検知し、それに基づく機能を実行することができる。
【０１０７】
図３Ｃは本発明による指紋検知部のアクティブ化方法を説明するためのフローチャートである。第１指紋検知部４１０は、指輪型移動端末機１００が指に着用されていない待機状態のときは非アクティブ状態を維持する。
【０１０８】
検出部１４４は、指が指輪型移動端末機１００に挿入されるか指輪型移動端末機１００から分離されるかを検出する（Ｓ４０１）。検出部１４４により指の挿入及び分離が検出されなければ、制御部１８０は、第１指紋検知部４１０の非アクティブ状態を維持する。
【０１０９】
それに対して、検出部１４４により前記指の挿入及び分離が検出されれば、制御部１８０は、第１指紋検知部４１０をアクティブ化する（Ｓ４０２）。制御部１８０は、前記指が挿入領域１０１’上を移動して指輪型移動端末機１００に挿入されるか又は指輪型移動端末機１００から分離されるとき、ユーザの指紋を検知するように第１指紋検知部４１０をアクティブ化する。
【０１１０】
制御部１８０は、第１指紋検知部４１０がアクティブ化された時点から所定の基準時間が経過したか否かを判断する（Ｓ４０３）。制御部１８０は、前記基準時間が経過していない場合、第１指紋検知部４１０がアクティブ状態を維持するように制御し、前記基準時間が経過した場合、第１指紋検知部４１０を非アクティブ化する（Ｓ４０４）。
【０１１１】
あるいは、制御部１８０は、第１指紋検知部４１０により検知される画像が変化するか否かを判断し、前記基準時間の間前記画像の変化がないと判断されると、第１指紋検知部４１０を非アクティブ化するようにしてもよい。
【０１１２】
これにより、制御部１８０は、ユーザが指輪型移動端末機１００を指にはめたり抜いたりするときに第１指紋検知部４１０がアクティブ化されるように制御し、指輪型移動端末機１００がユーザの指に着用されているか否かに関係なく、前記基準時間が経過すると第１指紋検知部４１０を非アクティブ状態に切り替え、指紋を検知するための消費電力を低減することができる。
【０１１３】
次に、図４Ａを参照して、本発明の他の実施形態による指輪型移動端末機の構造について説明する。
【０１１４】
図４Ａは本発明のさらに他の実施形態による内周面の一領域に形成された指紋検知部を含む指輪型移動端末機を示す概念図である。
【０１１５】
本発明の他の実施形態による指輪型移動端末機１００は、リング構造に形成されて内周面及び外周面からなるフレーム１０２、第２指紋検知部４２０、タッチセンサ部１２４、電極部１４３、検出部１４４、無線通信部１１０、フレキシブルプリント基板１８１及び電源供給部１９０を含んでもよい。本実施形態による指輪型移動端末機１００の構成要素は、第２指紋検知部４２０を除き、図３Ａに示す指輪型移動端末機１００の構成要素と実質的に同一である。よって、同一の構成要素には同一の符号を付して重複する説明は省略する。
【０１１６】
第２指紋検知部４２０は、フレーム１０２の内周面の一領域に形成される。第２指紋検知部４２０の長さは、前記指の幅より長く形成されることが好ましい。また、第２指紋検知部４２０は、挿入領域１０１’を介してタッチセンサ部１２４に対向するように形成されることが好ましい。
【０１１７】
次に、図４Ｂを参照して指が指紋検知部に正確に接触するようにガイド情報を出力する制御方法について説明する。
【０１１８】
図４Ｂは指の位置を指紋検知部にガイドするガイド情報を出力する制御方法を説明するための概念図である。
【０１１９】
図４Ｂの（ａ）に示す指輪型移動端末機１００は、外周面に形成される光出力部１５４を含む。例えば、光出力部１５４はＬＥＤモジュールからなる。制御部１８０は、第２指紋検知部４２０により前記指の指紋が認識されているか否かを光の出力で表示するように光出力部１５４を制御することができる。
【０１２０】
例えば、光出力部１５４は、第２指紋検知部４２０により指紋が検知されれば光を出力せず、第２指紋検知部４２０により指紋が検知されなければ光を出力するようにディスプレイ部１５１を制御する。制御部１８０は、検出部１４４により前記指が指輪型移動端末機１００から分離されるか又は指輪型移動端末機１００に挿入される状態が検出されているときに、第２指紋検知部４２０により指紋が検知されなければ光を出力するように光出力部１５４を制御する。
【０１２１】
あるいは、制御部１８０は、第２指紋検知部４２０により指紋が検知されない場合と指紋が検知された場合とで異なる色の光を出力するように光出力部１５４を制御してもよい。
【０１２２】
また、制御部１８０は、第２指紋検知部４２０により指紋が検知された場合、前記指紋に対応する指を判断し、各指によって異なる色の光を出力するように光出力部１５４を制御してもよい。よって、ユーザは、指に指輪型移動端末機１００が装着されたか否か、第２指紋検知部４２０により指紋が正確に検知されたか否か、及びどの指に指輪型移動端末機１００が装着されたかを把握することができる。
【０１２３】
これにより、ユーザは、指輪型移動端末機１００を着用するときに指紋が検知されたか否かを視覚的に判断することができ、出力される光によって指輪型移動端末機１００を移動させて指紋を検知させることができる。
【０１２４】
図４Ｂの（ｂ）に示すように、指輪型移動端末機１００は、振動を発生するハプティックモジュール１５３をさらに含んでもよい。制御部１８０は、第２指紋検知部４２０により指紋が検知された場合、振動を発生するようにハプティックモジュール１５３を制御してもよい。これにより、ユーザは、指に指輪型移動端末機１００を着用する際に、指紋が検知されたことを振動により確認することができる。
【０１２５】
あるいは、制御部１８０は、検出部１４４により挿入領域１０１’に指が挿入されたことが検出され、第２指紋検知部４２０により指紋が検知されていない場合、振動を発生するようにハプティックモジュール１５３を制御してもよい。よって、ユーザは、第２指紋検知部４２０により指紋が検知されていないことを認識し、指輪型移動端末機１００を移動させてその位置を変更することにより、再び第２指紋検知部４２０に指紋を検知させることができる。
【０１２６】
本実施形態によれば、ユーザは、出力される振動に基づいて、第２指紋検知部４２０によりユーザの指紋が検知されたか否かを判断することができる。また、ハプティックモジュール１５３が指輪型移動端末機１００の内部に装着されるので、外観をよりシンプルに実現することができる。
【０１２７】
図４Ｂの（ｃ）に示すように、指輪型移動端末機１００は、視覚情報を出力するディスプレイ部１５１をさらに含んでもよい。例えば、ディスプレイ部１５１は、タッチセンサ部１２４と一体に形成されてもよい。ディスプレイ部１５１は、第２指紋検知部４２０に対向するように形成されてもよいが、これに限定されるものではなく、本体１０１の外周面に沿って実質的に全体に形成されてもよい。
【０１２８】
制御部１８０は、第２指紋検知部４２０によりユーザの指紋が検知されていない場合、指輪型移動端末機１００の回転方向を示すガイド情報５０１を出力するようにディスプレイ部１５１を制御する。例えば、第２指紋検知部４２０が前記指の指紋領域より左側に着用された場合、ディスプレイ部１５１は、右方向の矢印をガイド情報５０１として出力する。前記矢印の長さ及び形状によって第２指紋検知部４２０の位置をより正確に表示することができる。
【０１２９】
本実施形態によれば、ユーザは、第２指紋検知部４２０の形成領域を直接確認することなく、第２指紋検知部４２０の位置を迅速に認識することができる。
【０１３０】
図４Ｂの（ａ）、（ｂ）及び（ｃ）に示す実施形態は同時に実現することができる。例えば、制御部１８０は、第２指紋検知部４２０により指紋が検知されていない場合、振動を発生するようにハプティックモジュール１５３を制御し、第２指紋検知部４２０に対向するディスプレイ部１５１の一領域にガイド情報を出力するようにディスプレイ部１５１を制御してもよい。この場合、ユーザは、振動により指紋が検知されていないことを認識し、ガイド情報が示す第２指紋検知部４２０の形成領域が指の指紋に接触するように指輪型移動端末機１００を移動させることができる。
【０１３１】
図４Ｃは本発明のさらに他の実施形態による複数の指紋検知ユニットを含む指輪型移動端末機を示す概念図である。図４Ｃの（ａ）を参照すると、本発明のさらに他の実施形態による指輪型移動端末機１００は、リング構造に形成されて内周面及び外周面からなるフレーム１０２、第３指紋検知部４３０、タッチセンサ部１２４、電極部１４３、検出部１４４、無線通信部１１０、フレキシブルプリント基板１８１及び電源供給部１９０を含んでもよい。本実施形態による指輪型移動端末機１００の構成要素は、第３指紋検知部４３０を除き、図３Ａに示す指輪型移動端末機１００の構成要素と実質的に同一である。よって、同一の構成要素には同一の符号を付して重複する説明は省略する。
【０１３２】
第３指紋検知部４３０は、第１〜第５指紋検知ユニット４３１、４３２、４３３、４３４、４３５を含む。第３指紋検知部４３０は、フレーム１０２の内周面に沿って形成され、第１〜第５指紋検知ユニット４３１、４３２、４３３、４３４、４３５が互いに隣接して配置されることが好ましい。同図にはフレーム１０２の内周面に第３指紋検知部４３０と電極部１４３が重ならないように配置されることを示すが、第３指紋検知部４３０の一部が電極部１４３と重なるように配置されてもよい。第１〜第５指紋検知ユニット４３１、４３２、４３３、４３４、４３５は、実質的に同一の大きさに形成されてもよいが、これに限定されるものではない。第１〜第５指紋検知ユニット４３１、４３２、４３３、４３４、４３５は、制御部１８０により互いに独立して制御される。すなわち、制御部１８０は、第１〜第５指紋検知ユニット４３１、４３２、４３３、４３４、４３５のいずれか１つのみをアクティブ化することができる。
【０１３３】
図４Ｃの（ｂ）を参照すると、制御部１８０は、タッチセンサ部１２４により検知されるユーザのタッチ入力に基づいて、第１〜第５指紋検知ユニット４３１、４３２、４３３、４３４、４３５の一部をアクティブ化することができる。タッチセンサ部１２４は、フレーム１０２の外周面に接触したユーザの２本の指のタッチ位置を検知する。制御部１８０は、前記２つのタッチ位置から最も離隔した領域に配置された第１指紋検知ユニット４３１をアクティブ化して前記指紋を検知するように第３指紋検知部４３０を制御する。
【０１３４】
このように、本実施形態においては、複数の指紋検知ユニットの一部のみをアクティブ化するので、第３指紋検知部４３０をアクティブ化するための消費電力を低減することができる。また、ユーザが指を接触させる位置に対応する指紋検知ユニットをアクティブ化するので、ユーザの指が接触しないことから指紋が検知されない問題を解決することができる。
【０１３５】
図４Ｄは本発明による指輪型移動端末機の制御方法を説明するためのフローチャートである。本体１０１の外周面に印加される制御命令を検知する（Ｓ４１１）。前記制御命令は、本体１０１の外周面に形成されたタッチセンサ部１２４により形成される。
【０１３６】
制御部１８０は、前記制御命令に基づいて、本体１０１の内周面に配置された第３指紋検知部４３０をアクティブ化する（Ｓ４１２）。制御部１８０は、前記制御命令が印加された前記外周面の一領域に基づいて、第３指紋検知部４３０をアクティブ化するか、又は第３指紋検知部４３０の一部をアクティブ化する。
【０１３７】
制御部１８０は、前記検知された指紋によりユーザの指を特定し（Ｓ４１３）、前記特定されたユーザの指に対応して設定された個人モードをアクティブ化する（Ｓ４１４）。
【０１３８】
ここで、個人モードは、ユーザ又はユーザの各指に対応して設定された機能やモードを含む。
【０１３９】
一方、指の指紋は末節の一面に形成され、前記指輪型移動端末機の挿入領域は手のひらに近い基節に固定されるように広く形成される。本発明による指輪型移動端末機は、前記指紋検知部にユーザの指紋が接触するようにガイドするガイド部を備える。以下、前記ガイド部の具体的な構造について説明する。
【０１４０】
図５Ａ〜図５Ｃはガイド部を備える指輪型移動端末機を示す概念図である。
【０１４１】
まず、図５Ａを参照して、機械的移動が可能な第１ガイド部を備える指輪型移動端末機について説明する。
【０１４２】
図５Ａの（ａ）及び（ｂ）に示すように、第１ガイド部５１０は、第２指紋検知部４２０が形成されるガイド板５１１と、ガイド板５１１を付勢する弾性部５１２と、ガイド板５１１が回動するように形成されるヒンジ部５１３と、固定突起５１４と、固定凹部５１５とを含む。
【０１４３】
ガイド板５１１は、本体１０１の内周面の一領域に形成された収納部１０１ａに収納可能に形成される。ガイド板５１１は、四角形状に形成されるが、これに限定されるものではない。ガイド板５１１の一領域は、本体１０１から弾性部５１２により支持される。ガイド板５１１の他の領域は、ヒンジ部５１３により本体１０１に固定される。また、ガイド板５１１は、外力が加わると、ヒンジ部５１３により回動して収納部１０１ａに収納される。
【０１４４】
ガイド板５１１が前記外力により収納部１０１ａに収納されると、ガイド板５１１の一領域から突出した固定突起５１４が、収納部１０１ａに陥没して形成された固定凹部５１５に嵌合されて固定される。
【０１４５】
ガイド板５１１が本体１０１の内周面から所定角度で突出した状態で本体１０１の挿入領域１０１’にユーザの指が挿入されると、ユーザは触覚でガイド板５１１の突出状態を検知することができる。よって、ユーザは意識的にガイド板５１１に指を接触させて指紋を検知させることができる。
【０１４６】
また、ガイド板５１１は、ユーザの指が挿入される方向に斜面を形成するように突出しているので、相対的に細い指先を挿入領域１０１’に挿入する際に、第２指紋検知部４２０に指先をより容易に接触させることができる。
【０１４７】
第１ガイド部５１０は、制御部１８０により移動可能に構成されている。図５Ａの（ｃ）を参照すると、ガイド板５１１は、ユーザの指が指輪型移動端末機１００に挿入されていない待機状態のときは、収納部１０１ａに収納された状態を維持する。
【０１４８】
挿入領域１０１’に指が挿入されたことが検出されると、制御部１８０は、ガイド板５１１が突出するように制御する。ここで、挿入領域１０１’に指が挿入されたことは、検出部１４４又はタッチセンサ部１２４により検出される。また、制御部１８０は、ガイド板５１１が突出するように制御すると共に、第２指紋検知部４２０をアクティブ化する。
【０１４９】
ガイド板５１１が突出した状態で、第２指紋検知部４２０はユーザの指紋を検知する。挿入領域１０１’に指が挿入されると、ガイド板５１１は、指による外力により再び収納部１０１ａに収納され、固定突起５１４が固定凹部５１５に嵌合される。
【０１５０】
すなわち、ガイド板５１１は、指紋検知が必要なときに突出するように制御され、外力により収納されるので、指輪型移動端末機の着用時の不便が最小限に抑えられる。
【０１５１】
次に、図５Ｂを参照して、形状変形が可能な第２ガイド部を備える指輪型移動端末機について説明する。
【０１５２】
第２ガイド部５２０は、本体１０１の内周面の少なくとも一領域に形成される電場応答性高分子（Electroactive Polymer; EAP）物質からなる。ここで、電場応答性高分子物質とは、外部の電場によって形状変化が起こる物質をいう。前記電場応答性高分子は、例えば固有導電性高分子（Inherently Conductive Polymer, ICP）、固有散逸性高分子（Inherently Dissipative Polymer, IDP）、導電性プラスチック（Electroconductive Plastic）、イオン性高分子ゲル、イオン性高分子／金属複合体（Ionic Polymer/Metal Composite, IPMC）、炭素ナノ粒子含有導電性高分子などである。
【０１５３】
前記電場応答性高分子は、ゲルタイプやフィルムタイプに構成されてもよい。フィルムタイプの電場応答性高分子は、例えば炭素繊維強化プラスチック（Carbon Fiber Reinforced Plastic）、ファインセラミックス（Fine Ceramics）及び結晶化ガラス（Crystallized Glass）の少なくとも１つを含む。炭素繊維強化プラスチックは、プラスチックに炭素繊維を入れて高い強度と軽さを併せ持たせた材料である。ファインセラミックスは、天然又は人工的に合成した無機化合物である窒化物・炭化物を原料として焼結した磁気材料であり、ニューセラミックスとも呼ばれる。結晶化ガラスは、非晶質構造のガラスを技術的に結晶化して従来になかった特性を持たせたガラスであり、ガラスセラミックスとも呼ばれる。
【０１５４】
また、第２ガイド部５２０は、前記指紋検知部に対応する領域に形成される。例えば、前記指紋検知部が本体１０１の内周面に沿って全体的に形成された場合、第２ガイド部５２０は、本体１０１の内周面に沿って全体的に形成されることが好ましい。制御部１８０は、制御信号に基づいて、第２ガイド部５２０の少なくとも一領域の形状が変化するように制御する。
【０１５５】
図５Ｂの（ａ）を参照すると、第２ガイド部５２０は、本体１０１の内周面に沿って形成され、突出しない形状に形成される。
【０１５６】
図５Ｂの（ｂ）を参照すると、制御部１８０は、挿入領域１０１’にユーザの指が挿入された状態が検知されると、第２ガイド部５２０の少なくとも一領域が突出するように変形させる。
【０１５７】
本体１０１の内周面に沿って全体的に第１指紋検知部４１０が形成された実施形態において、制御部１８０は、タッチセンサ部１２４により２本の指のタッチ入力が検知されると、第２ガイド部５２０のうち前記タッチ入力の位置から最も離隔した一領域が変形するように制御する。
【０１５８】
第２ガイド部５２０は、本体１０１の内周面から突出し、それにより第１指紋検知部４１０も共に突出する。つまり、挿入領域１０１’に指を挿入する間第２ガイド部５２０が突出するので、ユーザは、第１指紋検知部４１０に指をより容易に接触させることができる。
【０１５９】
次に、図５Ｃを参照して、一対のガイド突起からなる第３ガイド部を備える指輪型移動端末機について説明する。
【０１６０】
本実施形態による指輪型移動端末機１００は、本体１００の内周面の一部に形成される第２指紋検知部４２０を含む。
【０１６１】
第３ガイド部５３０は、第２指紋検知部４２０を介して突出する一対のガイド突起からなる。前記ガイド突起は、本体１００の内周面の幅方向に延びる。
【０１６２】
ユーザは、前記ガイド突起を触覚的に検知することができ、ユーザの指が本体１００の内周面に密着して移動する間、前記一対のガイド突起間でユーザの指を第２指紋検知部４２０にさらに密着させることができる。
【０１６３】
図６は本発明のさらに他の実施形態による血流センサ部を備える指輪型移動端末機を説明するための概念図である。
【０１６４】
図６の（ａ）を参照すると、指輪型移動端末機１００は、本体１０１の内周面に形成される血流センサ部６００をさらに含む。血流センサ部６００は、フレーム１０２に装着され、第２指紋検知部４２０に隣接して配置されてもよい。図６の（ｂ）を参照すると、フレーム１０２に第２指紋検知部４２０及び血流センサ部６００が隣接して配置される。
【０１６５】
図６の（ｃ）は血流センサ部６００の原理を説明するための概念図である。血流センサ部６００は、受光部６１０と発光部６２０とを備える。発光部６２０は、ＬＥＤ（Light Emitting Diode）で実現してもよい。発光部６２０から放出された光はユーザの皮膚を透過及び反射して受光部６１０に入射する。血流センサ部６００は、受光部６１０に入射した光の量及びその変化に基づいて、血流量に関する生体情報を収集する。具体的には、発光部６２０から放出された光は、皮下組織の下まで通過して動脈及び静脈に到達し、皮膚での吸収率によって反射する光の量が異なる。これにより、血流センサ部６００は、ユーザが指輪型移動端末機１００を着用している間、発光と受光を繰り返してユーザの生体情報を収集することができる。
【０１６６】
受光部６１０及び発光部６２０の数には制限がない。血流センサ部６００は、ユーザの皮膚に近い領域に形成されることが好ましい。これにより、血流センサ部６００により検知されたユーザの生体情報を収集し、当該ユーザの生体情報に基づくデータを出力したり該当機能を実行することができる。
【０１６７】
図７Ａ〜図７Ｄは挿入領域の大きさを調整できる指輪型移動端末機の構造を説明するための概念図である。
【０１６８】
まず、図７Ａを参照して、開ループ型本体を含む指輪型移動端末機について説明する。本実施形態による指輪型移動端末機１００は、開ループ型フレーム１０２’を含む。開ループ型フレーム１０２’は、開口領域１０１’’を形成するように両端部を備える。すなわち、前記両端部は当接しないように形成される。
【０１６９】
開ループ型フレーム１０２’は、前記両端部にそれぞれ装着されるカバー１０１ｂをさらに備える。カバー１０１ｂは、前記外部ケース（図示せず）と共に、指輪型移動端末機１００の外観を形成する。カバー１０１ｂにより、外観を形成していたフレーム１０２’などが露出しなくなる。
【０１７０】
フレーム１０２’は、外力により変形可能な金属材質又は復元力を有する弾性材質からなることが好ましい。同図には具体的に示していないが、フレーム１０２’が外力により変形可能であるので、フレーム１０２’に配置される電子部品も変形可能な材質からなることが好ましい。また、本実施形態による指輪型移動端末機１００がフレーム１０２’に固定されるディスプレイ部を備える場合、前記ディスプレイ部は外力により変形可能なフレキシブルディスプレイ装置で構成されることが好ましい。
【０１７１】
つまり、本実施形態による指輪型移動端末機１００は、図７Ａの（ｂ）に示すように、指輪型移動端末機１００が装着される指の太さによってフレーム１０２’の両端部間の距離が変化するように構成される。
【０１７２】
本実施形態によれば、挿入領域１０１’を変更するための構成要素を備えるのではなく、外力により指輪型移動端末機１００を指に合う大きさに調整することができる。よって、指輪型移動端末機１００を複数のユーザの全ての指に安定して装着することができる。
【０１７３】
次に、図７Ｂを参照して、弾性部を備えるフレームを含む指輪型移動端末機について説明する。本実施形態による指輪型移動端末機１００のフレーム１０２は、外部フレーム１０２ａと、内部フレーム１０２ｂとを含む。外部フレーム１０２ａと内部フレーム１０２ｂとは相対的に移動可能に結合されている。外部フレーム１０２ａにはタッチセンサ部１２４、無線通信部１１０及びフレキシブルプリント基板１８１が形成され、内部フレーム１０２ｂには指紋検知部４００が配置される。
【０１７４】
図７Ｂに示すように、外部フレーム１０２ａは、指輪型移動端末機１００の内部方向に延びる第１延長部１０３ａを含み、内部フレーム１０２ｂは、指輪型移動端末機１００の外部方向に延びる第２延長部１０３ｂを含む。第１延長部１０３ａは、第２延長部１０３ｂの一領域が収納されるように形成される溝部１０３ｂ’を含む。溝部１０３ｂ’に第２延長部１０３ｂが収納される領域は、外部フレーム１０２ａと内部フレーム１０２ｂとが相対的に移動することにより異なる。
【０１７５】
内部フレーム１０２ｂは、少なくとも１つの弾性部Ｅと、弾性部Ｅ間を連結する連結部Ｐとからなる。弾性部Ｅと連結部Ｐとは閉ループを形成し、前記閉ループにより挿入領域１０１’が形成される。弾性部Ｅと連結部Ｐの数及び長さは、同図に示すものに限定されるものではない。
【０１７６】
また、本実施形態による指輪型移動端末機１００を構成する他の構成要素は、同図に示すものに限定されるものではなく、図４Ａ〜図６に示す指輪型移動端末機１００の構成要素と実質的に同一の構成要素を含んでもよい。
【０１７７】
図７Ｂの（ｂ）及び（ｃ）を参照すると、弾性部Ｅは、挿入領域１０１’から加わる外力により伸びるように形成される。例えば、弾性部Ｅは、スプリングなどの弾性体からなる。弾性部Ｅが伸びると、前記閉ループの長さが長くなる。よって、内部フレーム１０２ｂが外部フレーム１０２ａに近づく方向に移動し、溝部１０３ｂ’における第２延長部１０３ｂの収納領域が大きくなる。
【０１７８】
挿入領域１０１’に挿入される指の太さにより内部フレーム１０２ｂに圧力が印加されると、弾性部Ｅの長さが長くなり、挿入領域１０１’が拡張される。つまり、指輪型移動端末機１００の外観を形成する外部フレーム１０２ａの形状を変化させることなく、内部フレーム１０２ｂをユーザの指に合う大きさに変更することができる。
【０１７９】
従って、ユーザは、太さの異なる指に指輪型移動端末機１００を着用することができ、弾性部Ｅにより指輪型移動端末機１００の内部フレーム１０２ｂが変形するので、指に指輪型移動端末機１００をより安定して装着することができる。
【０１８０】
次に、図７Ｃを参照して、支持部及び連結部材を含む指輪型移動端末機について説明する。本実施形態による指輪型移動端末機１００は、外部フレーム１０５と、内部フレーム１０６と、支持部１０７とを含む。外部フレーム１０５と内部フレーム１０６との間には、指輪型移動端末機１００の電子部品が収納される。
【０１８１】
外部フレーム１０５及び内部フレーム１０６は、支持部１０７により付勢される。外部フレーム１０５及び内部フレーム１０６は、リング構造からなり、互いに接触しない。支持部１０７は、複数のスプリングで構成されてもよい。
【０１８２】
内部フレーム１０６は、分離可能な第１部材１０６ａ及び第２部材１０６ｂからなる。第１部材１０６ａ及び第２部材１０６ｂは、それぞれ異なるスプリングにより支持されてもよい。挿入領域１０１’から内部フレーム１０６に加わる外力により、第１部材１０６ａ及び第２部材１０６ｂは外部フレーム１０５に近づく方向に移動する。第１部材１０６ａ及び第２部材１０６ｂが移動すると、挿入領域１０１’が拡張される。
【０１８３】
内部フレーム１０６は、第１部材１０６ａと第２部材１０６ｂとを連結する複数の連結部材１０８をさらに含んでもよい。連結部材１０８は、第１部材１０６ａ及び第２部材１０６ｂの各端部が当接している状態では第１部材１０６ａ及び第２部材１０６ｂの内部に収納され、前記外力により第１部材１０６ａ及び第２部材１０６ｂが移動すると露出する。連結部材１０８により、外部フレーム１０５と内部フレーム１０６との間に収納された電子部品が外部に露出せず、異物の流入を遮断することができる。
【０１８４】
本実施形態によれば、ユーザの指を囲む内部フレーム１０６の周面が外力により拡張されるので、内部フレーム１０６の変形により太さの異なる指に指輪型移動端末機１００を着用することができる。
【０１８５】
次に、図７Ｄを参照して、フレキシブルディスプレイユニットを含む指輪型移動端末機について説明する。本実施形態による指輪型移動端末機１００は、開ループ型本体１０１と、開ループ型本体１０１の両端部を連結するフレキシブルディスプレイユニット１５１’とを含む。
【０１８６】
フレキシブルディスプレイユニット１５１’は、外力により形状が変形すると自体の弾性により元の状態に復元する性質を有する。フレキシブルディスプレイユニット１５１’に含まれる基板、駆動部、ディスプレイパネル及び保護フィルムなどの全てがフレキシブルな材質で形成される。例えば、前記基板は、プラスチック素材からなり、前記プラスチック素材のベースフィルムの両面にバリアコーティング（barrier coating）が施された構造を有するようにしてもよい。前記ベースフィルムは、ＰＩ（Polyimide）、ＰＣ（Polycarbonite）、ＰＥＴ（Polyethyleneterephtalate）、ＰＥＳ（Polyethersulfone）、ＰＥＮ（Polythylenenaphthalate）、ＦＲＰ（Fiber Reinforced Plastic）などの様々な樹脂で実現することができる。また、前記バリアコーティングは、前記ベースフィルムの両面に施され、柔軟性を維持するために有機膜又は無機膜を用いてもよい。
【０１８７】
つまり、フレキシブルディスプレイユニット１５１’は、挿入領域１０１’から加わる外力により長くなる。同図には具体的に示していないが、フレキシブルディスプレイユニット１５１’は、外力により長さが変化すると、その変化したことを示すグラフィック画像を出力するようにしてもよい。
【０１８８】
これにより、ユーザは、太さの異なる指に指輪型移動端末機１００をより容易に装着することができ、指の太さに応じてディスプレイユニット１５１’の長さが変化し、タッチ入力の受信面積も指の太さに応じて調整されるので、タッチ入力の間違いを防止することができる。
【０１８９】
図８Ａ及び図８Ｂは本発明のさらに他の実施形態による変形可能な本体を含む指輪型移動端末機を示す概念図である。
【０１９０】
まず、図８Ａを参照して、巻回構造の本体を含む指輪型移動端末機について説明する。本実施形態による指輪型移動端末機１００の本体１０８は、巻回して指を囲むように螺旋状に形成される。本体１０８の両端部が互いに離隔しており、一端部を基準とする巻回数は同図に示すものに限定されるものではない。
【０１９１】
本体１０８は、挿入領域１０１’から加わる外力により両端部が移動して前記巻回の形態が変化するようになっている。例えば、太い指が挿入領域１０１’に挿入される場合、前記外部に押し出す力により、本体１０８の巻回が解ける方向に両端部が移動し、挿入領域１０１’が拡張される。
【０１９２】
本体１０８は、外力により変形可能であり、かつ所定の付勢力を有する材質からなることが好ましい。本体１０８は、その外周面から内周面に加わる付勢力により挿入領域１０１’が縮小されるように変形可能である。
【０１９３】
つまり、本実施形態による指輪型移動端末機１００は、本体１０８の構造自体が指の太さに応じて挿入領域１０１’を変形可能であるので、別途の構造が必要でない。
【０１９４】
次に、図８Ｂを参照して、連結部材を含む指輪型移動端末機について説明する。本実施形態による指輪型移動端末機１００は、断絶領域を有する開ループ状に形成される本体１０１と、前記断絶領域をカバーするように本体１０１の両端部を連結する連結部材１０９とを含む。
【０１９５】
本体１０１の両端部には、連結部材１０９の両端部がそれぞれ挿入される溝部が形成される。連結部材１０９の両端部は歯車状に形成され、前記溝部は前記歯車と噛み合うように凹凸状に形成される。前記溝部に挿入された連結部材１０９は、前記凹凸に噛み合った前記歯車により、挿入領域１０１’において連結部材１０９が分離したり、移動することが防止される。連結部材１０９が前記溝部の内部に移動するほど、本体１０１の両端部を引っ張り、挿入領域１０１’が縮小する。
【０１９６】
前述した様々な実施形態による指輪型移動端末機１００は、指紋検知部４００により検知される指紋に基づいて異なる制御命令を形成することができる。すなわち、指紋検知部４００により検知される指紋に基づいて、指輪型移動端末機１００を異なる方式で制御することもでき、無線接続する外部機器を選択したり異なる方式で制御することもできる。あるいは、指紋検知部４００により検知される指紋に基づいて、無線接続する移動端末機を異なる方式で制御することもできる。以下、検知される指紋に基づく制御方法について具体的に説明する。
【０１９７】
図９Ａ〜図９Ｄは外部機器を制御する指輪型移動端末機の制御方法を説明するための概念図である。本発明による指輪型移動端末機１００は、外部機器に近い領域に位置する場合、前記外部機器を制御するための制御命令を受信することができる。例えば、指輪型移動端末機１００は、前記外部機器に近い距離で無線通信を行うことができる。前記無線通信は、ＮＦＣベース、ＲＦＩＤベース又はＢＬＥ（Bluetooth Low Energy）ベースの近距離通信モジュールを含んでもよいが、これらに限定されるものではない。
【０１９８】
まず、図９Ａを参照して、指輪型移動端末機を用いて玄関ドアに設置されたロック装置である第１外部機器のドアを開く制御方法について説明する。指輪型移動端末機１００の指紋検知部は、ユーザの指紋を検知する。制御部１８０は、第１外部機器２１０に指輪型移動端末機１００が近づくと、前記指紋検知部により検知された指紋及び当該指紋に対応するユーザ情報を第１外部機器２１０に送信するように無線通信部１１０を制御する。
【０１９９】
すると、第１外部機器２１０は、前記受信した指紋及びユーザ情報を前記パスワードと比較し、一致する場合にロックを解除する。
【０２００】
あるいは、指輪型移動端末機１００は、前記指紋検知部により検知された指紋が、第１外部機器２１０に対応して予め保存された基準指紋と実質的に一致する場合、ロック状態を解除するための無線信号を送信するように無線通信部１１０を制御することもできる。
【０２０１】
これにより、ユーザは、パスワードを入力することなく、指紋を用いてロック状態を解除するための認証手順を実行することができる。
【０２０２】
次に、図９Ｂを参照して、指輪型移動端末機を用いてコンピュータである第２外部機器のロック状態を解除する制御方法について説明する。第２外部機器２２０は、使用のためのユーザ認証画面として、ユーザのＩＤ及びパスワードの入力のための画面情報を出力する。
【０２０３】
制御部１８０は、指輪型移動端末機１００を着用した指から検知された指紋に関する情報を第２外部機器２２０に送信する。第２外部機器２２０は、前記指紋に関する情報が予め保存されたＩＤ及びパスワードと一致する場合、前記ロック状態を解除する。
【０２０４】
次に、図９Ｃを参照して、指輪型移動端末機を用いて移動端末機である第３外部機器のロック状態を維持する制御方法について説明する。同図において、第３外部機器２３０は、ロック状態を維持して第３外部機器２３０のディスプレイユニットにロック画面３１０を出力しており、指輪型移動端末機１００は、ユーザの第５指に着用されている。
【０２０５】
制御部１８０は、指輪型移動端末機１００が前記第５指に着用された場合、前記ロック状態を維持するように第３外部機器２３０を制御するための制御信号を送信することができる。
【０２０６】
第３外部機器２３０は、ロック画面３１０に前記ロック状態を解除するためのユーザのタッチ入力が受信されても、指輪型移動端末機１００から受信した制御信号に基づいてロック状態を維持する。すなわち、指輪型移動端末機１００から受信した制御信号が最も優先して適用される。よって、ユーザは、予め指定された指に指輪型移動端末機１００を着用することにより、第３外部機器２３０のロック状態を維持し続けることができる。
【０２０７】
つまり、本実施形態による指輪型移動端末機１００は、検知される指紋に基づいて外部機器を制御する。指輪型移動端末機１００は、前記指紋に関する情報（ユーザ情報、ユーザの手及び指に関する情報）を前記外部機器に送信することができる。また、前記外部機器は、前記指紋に関する情報を表示することにより、ユーザに指輪型移動端末機１００を着用した指に関する情報を提供することができる。
【０２０８】
図９Ｄを参照して、指輪型移動端末機を用いて移動端末機のロック状態を解除する制御方法について説明する。
【０２０９】
図９Ｄの（ａ）、（ｂ）及び（ｃ）を参照すると、移動端末機２３０は、移動端末機２３０のディスプレイユニットの非アクティブ状態で、前記ディスプレイユニットへのノック（knock）動作に基づいて、前記ディスプレイユニットをアクティブ化する。つまり、本実施形態による移動端末機２３０は、ノック動作を検知するセンサ部（図示せず）を備える。例えば、前記ディスプレイユニットは、移動端末機２３０のゲストモードをアクティブ化することができる。
【０２１０】
一方、図９Ｄの（ａ）、（ｄ）及び（ｅ）を参照すると、指輪型移動端末機１００がユーザの予め設定された指にはめられている場合、前記制御部は、前記指紋検知部により予め設定された指の指紋が検知されていると、隣接する移動端末機２３０に無線信号を送信する。移動端末機２３０は、指輪型移動端末機１００を着用したユーザの手によりノックされると、前記無線信号及び前記ノックに基づいて、前記ディスプレイユニットをアクティブ化し、ユーザモードに移行する。
【０２１１】
すなわち、移動端末機２３０は、指輪型移動端末機１００からの無線信号を受信するか否かによって異なるモードでアクティブ化される。
【０２１２】
ただし、本実施形態において、移動端末機２３０のディスプレイユニットは、非アクティブ状態に限定されるものではない。例えば、前記ディスプレイユニットがロック画面を出力しているときに、移動端末機２３０は、ロック状態を解除するために予め設定されたノックパターンが印加された場合、又は予め設定された指にはめられた指輪型移動端末機１００の無線信号を受信してノック動作が検知された場合、前記ロック画面を切り替えることもできる。
【０２１３】
つまり、ユーザは、移動端末機を異なるモードに切り替えることができ、指輪型移動端末機を用いてロック状態を解除することができる。
【０２１４】
以下、指輪型移動端末機が移動端末機と連動する実施形態として情報を表示する制御方法について具体的に説明する。
【０２１５】
図１０Ａ〜図１０Ｆは移動端末機と連動する指輪型移動端末機の制御方法を説明するための概念図である。制御部１８０は、指紋検知部４００により、指輪型移動端末機１００を着用したユーザ及びユーザの指を判別することができる。本発明による指輪型移動端末機１００は、ユーザにより入力された制御命令を移動端末機２３０に送信し、移動端末機２３０により他の外部機器を制御するようにすることができる。移動端末機２３０及び指輪型移動端末機１００は、通信のためにＢＬＥベースの近距離通信モジュールを含んでもよい。
【０２１６】
制御部１８０は、前記ユーザに関する情報及び前記指に関する情報に基づいて、移動端末機２３０に制御信号を送信する。制御部１８０は、指紋検知部４００により検知された指紋に基づいて、前記ユーザに関する情報及び前記指に関する情報を共に移動端末機２３０に送信するように無線通信部１１０を制御することができる。前記制御信号に基づいて、移動端末機２３０は、制御命令を形成して前記外部機器を制御することができる。あるいは、移動端末機２３０は、前記外部機器を制御するための制御命令を受信するためのユーザ入力部をアクティブ化することができる。
【０２１７】
図１０Ａの（ａ）を参照すると、指輪型移動端末機１００は、指輪型移動端末機１００により形成された制御信号を予め設定された第２外部機器２２０に送信するように無線通信部１１０を制御することができる。第２外部機器２２０は、予め設定された複数の機器に該当し、制御部１８０は、前記制御信号を複数の機器に選択的に送信することができる。
【０２１８】
図１０Ａの（ｂ）を参照すると、制御部１８０は、指輪型移動端末機１００により形成された制御信号を移動端末機２３０に送信することができる。移動端末機２３０は、前記制御信号を第２外部機器２２０に伝達し、第２外部機器２２０を制御することができる。例えば、指輪型移動端末機１００は、特定の制御信号を形成し、移動端末機２３０は、前記制御信号を移動端末機２３０に無線接続された第２外部機器２２０に適した制御命令に変換し、第２外部機器２２０に伝達することができる。同図には具体的に示していないが、移動端末機２３０のディスプレイユニットは、前記制御命令に対する確認を要求したり、複数の外部機器のうち制御する一部の機器を選択するための選択ウィンドウを提供することができる。
【０２１９】
図１０Ｂを参照すると、指輪型移動端末機１００がユーザの手に着用されると、指紋検知部４００は、指輪型移動端末機１００がはめられた指の指紋を検知する。制御部１８０は、指輪型移動端末機１００がはめられた指の指紋に関する情報を移動端末機２３０に送信するように無線通信部１１０を制御する。ここで、前記指紋に関する情報は、指輪型移動端末機１００を着用したユーザに関する情報及び指に関する情報を含んでもよい。
【０２２０】
移動端末機２３０のディスプレイユニットは、前記指に関する情報を示すグラフィック画像３２０を出力する。グラフィック画像３２０は、前記ディスプレイユニットにおいて、アラーム情報及び駆動情報を出力するインジケータ領域に表示されてもよい。
【０２２１】
例えば、前記指が第３指（中指）の場合、グラフィック画像３２０は、数字３が表示された手の形状からなるようにしてもよい。よって、ユーザは、移動端末機２３０と無線通信を行う指輪型移動端末機１００が着用された指を認知することができるので、指輪型移動端末機１００を装着した手を用いた制御方法を決定することができる。
【０２２２】
図１０Ｃを参照して、指輪型移動端末機がはめられる指に応じて移動端末機を制御する方法について説明する。図１０Ｃの（ａ）は非アクティブ状態のディスプレイユニットを示す。制御部１８０は、第１指（親指）に指輪型移動端末機１００が装着されたことが指紋検知部４００により検知されると、前記ディスプレイユニットに前記第１指を示すグラフィック画像３２０を出力するように制御する。
【０２２３】
また、移動端末機２３０のディスプレイユニットは、前記第１指に対応する第１画面情報３３０を出力する。例えば、第１画面情報３３０は、少なくとも１つのアプリケーションのアイコンを含んでもよい。前記アプリケーションは、ユーザにより設定されたものであってもよく、特定のカテゴリーに分類されるアプリケーションであってもよい。
【０２２４】
図１０Ｃの（ｃ）を参照すると、移動端末機２３０は、特定の指に指輪型移動端末機１００が着用された場合、予め設定されたモードをアクティブ化することができる。例えば、第５指（小指）に指輪型移動端末機１００が着用された場合、移動端末機２３０はスリープモードをアクティブ化する。前記スリープモードがアクティブ化されると、アプリケーションのアラーム出力を遮断したり、ユーザのスリープ状態を検知する機能がアクティブ化される。すなわち、移動端末機２３０は、前記第５指に指輪型移動端末機１００が着用されている間、移動端末機２３０をスリープモードに制御することができる。
【０２２５】
本実施形態によれば、ユーザは、指輪型移動端末機１００が着用される指を区別して予め設定された機能を実行するように移動端末機２３０を制御することができる。また、制御部１８０は、前記指を区別して予め設定された機能が異なる方式でアクティブ化されるように制御することができる。例えば、第１指又は第２指に指輪型移動端末機１００が着用されると、テキストの入力及び保存を制御するメモアプリケーションを実行したり、第２指に指輪型移動端末機１００が着用されると、テキストを入力するためのタッチ入力を受信するように前記ディスプレイユニットを制御したり、第１指に指輪型移動端末機１００が着用されると、テキストを入力するためのユーザの音声を受信するようにマイク１２２をアクティブ化するようにしてもよい。
【０２２６】
あるいは、前記機能が実行されると、移動端末機２３０の設定を変更するように制御することができる。例えば、第１指にはめられている場合、予め設定されたイベント受信のアラームを聴覚データで出力するように設定を変更したり、第５指にはめられている場合、前記イベント受信のアラームの出力を遮断するように設定を変更するようにしてもよい。
【０２２７】
図１０Ｄを参照して、外部機器に制御命令を供給するための移動端末機の制御方法について説明する。本実施形態によれば、前記指輪型移動端末機を用いて前記移動端末機を外部機器の制御装置として活用することができる。
【０２２８】
図１０Ｄの（ａ）を参照すると、制御部１８０は、指輪型移動端末機１００が第３指に装着されたことを前記指紋検知部により検知し、前記指に関する情報を含む制御信号を前記移動端末機に送信する。
【０２２９】
前記移動端末機は、前記制御信号に基づいて、前記第３指を示すグラフィック画像３２０をディスプレイユニットに出力する。また、前記移動端末機は、前記第３指に対応する外部機器の第１制御画面４１０を前記ディスプレイユニットに出力する。例えば、前記第３指に対応する外部機器はテレビであってもよい。第１制御画面４１０は、前記外部機器を制御するためのユーザのタッチ入力を受信することができる。あるいは、ユーザは、前記外部機器を制御するための制御命令を、指輪型移動端末機１００を着用した手のジェスチャーにより形成することができる。
【０２３０】
一方、図１０Ｄの（ｂ）を参照すると、前記移動端末機は、指輪型移動端末機１００が第２指（人差し指）に装着された場合、前記第２指を示すグラフィック画像３２０を前記移動端末機のディスプレイユニットに出力する。また、前記移動端末機は、前記第２指に対応する外部機器の第２制御画面４２０を前記ディスプレイユニットに出力する。例えば、前記第２指に対応する外部機器はエアコンであってもよく、ユーザは、第２制御画面４２０に対してタッチ入力を行ったり、ジェスチャーに基づいて前記外部機器を制御することができる。
【０２３１】
つまり、指輪型移動端末機１００は、検知される指紋に基づいて、各指に対応する外部機器を制御するための制御画面が移動端末機に提供されるようにすることができる。
【０２３２】
図１０Ｅを参照して、指輪型移動端末機を用いて複数の外部機器を共に制御する方法について説明する。図１０Ｅの（ａ）はアクティブ状態の複数の外部機器を示す。第５指に指輪型移動端末機１００が着用されると、前記複数の外部機器を非アクティブ状態に切り替える制御命令が送信される。
【０２３３】
ここで、前記第５指に対応する複数の外部機器は、ユーザの設定により指定又は変更することができる。すなわち、ユーザは、各指の指紋に対応して制御対象となる外部機器を設定することができる。制御可能な外部機器の設定方法については、図１６を参照して具体的に説明する。
【０２３４】
また、前記移動端末機のディスプレイユニットは、前記第５指を示すグラフィック画像３２０を出力する。さらに、前記移動端末機のディスプレイユニットは、前記複数の外部機器が非アクティブ状態に切り替えられたことを示す通知ウィンドウ３４０を出力する。通知ウィンドウ３４０は、前記外部機器を制御するための複数のアイコンを含んでもよく、ユーザのタッチ入力に基づいて前記外部機器を制御することができる。
【０２３５】
つまり、指輪型移動端末機１００が複数の外部機器と無線通信を行う場合、予め設定された指に指輪型移動端末機１００が装着されると、前記複数の外部機器の全てに実質的に同一の制御命令が送信されるようにすることができる。よって、ユーザは前記複数の外部機器を共に制御することができる。
【０２３６】
この場合、前記制御命令は、指輪型移動端末機１００から複数の外部機器に直接送信されるようにしてもよい。当然ながら、前記制御命令は、指輪型移動端末機１００から前記移動端末機に送信され、前記移動端末機から複数の外部機器に送信されるようにしてもよい。
【０２３７】
図１０Ｆを参照して、指紋検知部４００により検知された指紋が予め保存されたユーザの指紋と一致しない場合の制御方法について説明する。前述したように、前記制御部は、指紋検知部４００により検知された指紋と予め保存（又は設定）されたユーザの指紋画像とを比較する。前記指紋と前記指紋画像とが一致すると、移動端末機２３０は、ユーザの手を示すグラフィック画像３２０を出力し、予め設定された複数の外部機器を制御できるようになる。
【０２３８】
図１０Ｆの（ａ）を参照すると、移動端末機２３０は、指紋検知部４００により検知された指紋と前記予め保存されたユーザの指紋画像とが異なる場合、それに関する情報を含む通知ウィンドウ５４０を移動端末機２３０のディスプレイユニットに出力する。また、通知ウィンドウ５４０は、現在検知された指紋を他のユーザの指紋として追加するか否かの確認を求めるメッセージの情報を含んでもよい。また、グラフィック画像３２０は、誰の指紋か判断できないことを示す情報を含んでもよい。
【０２３９】
図１０Ｆの（ｂ）は指紋検知部４００により検知された指紋と前記指紋画像とが一致しない場合に指輪型移動端末機１００により制御命令が形成された状態を示す。移動端末機２３０は、前記制御命令及び前記指紋に関する情報を受信すると、前記指紋と前記指紋画像とが一致しないことを示す情報を含む通知ウィンドウ５４０を移動端末機２３０のディスプレイユニットに出力する。また、通知ウィンドウ５４０は、前記予め設定された外部機器を制御できないことを示す情報を含んでもよい。
【０２４０】
図１０Ｆの（ｃ）を参照すると、制御部１８０は、指紋検知部４００により検知された指紋と前記指紋画像とが一致しない場合、指輪型移動端末機１００により制御命令が形成されると、前記制御命令により前記外部機器を制御できないことを示す警告通知を出力する。例えば、制御部１８０は、前記警告通知として振動を発生するように、ハプティックモジュールを制御することができる。よって、指輪型移動端末機１００を着用したユーザは前記外部機器を制御できないことを認知することができる。
【０２４１】
以下、図１１Ａ及び図１１Ｂを参照して、指輪型移動端末機を用いて複数の外部機器を制御する制御方法について説明する。
【０２４２】
図１１Ａ及び図１１Ｂは指輪型移動端末機を用いて複数の外部機器を制御する制御方法を説明するための概念図である。本実施形態による指輪型移動端末機１００は、動きを検知してユーザのジェスチャー信号を生成する検知センサをさらに含んでもよい。前記検知センサは、ジャイロセンサ、加速度センサなどで構成されてもよい。指輪型移動端末機１００は、前記ジェスチャー信号に基づいて外部機器を制御することができる。
【０２４３】
まず、図１１Ａを参照して、１つのジェスチャー信号に基づいて複数の外部機器に異なる制御命令を送信する制御方法について説明する。本実施形態による指輪型移動端末機１００は、第２外部機器２２０及び第３外部機器２３０と無線通信を行い、指輪型移動端末機１００が着用された手の動きに基づいてジェスチャー信号を形成する。
【０２４４】
第２外部機器２２０に適用されるように、ジェスチャーセンサに基づいて、音響出力部から出力される音のボリュームを増加させるための制御命令が形成される。また、第３外部機器２３０に適用されるように、ジェスチャーセンサに基づいて、動きに対応する文字を出力するための制御命令が形成される。
【０２４５】
すなわち、指輪型移動端末機１００が複数の外部機器に無線接続された場合、１つのジェスチャーに基づいて異なる方式で複数の外部機器を制御することができる。図示していないが、前記ジェスチャーに基づいて制御できない外部機器がある場合、前記外部機器は警告情報を出力するようにしてもよい。
【０２４６】
本実施形態においては、入力される１つのジェスチャーのパターンの種類によっては、複数の外部機器が当該ジェスチャーを命令とみなすことがある。もし、予め保存されたジェスチャーのパターンの種類と異なる場合、外部機器は当該ジェスチャーを命令とみなさない。
【０２４７】
次に、図１１Ｂを参照して、複数の外部機器のいずれかを制御する制御方法について説明する。本実施形態による指輪型移動端末機１００は、第２外部機器２２０及び第３外部機器２３０と無線通信を行う。
【０２４８】
図１１Ｂの（ａ）においては第２指に指輪型移動端末機１００が着用されており、図１１Ｂの（ｂ）においては第３指に指輪型移動端末機１００が着用されている。指輪型移動端末機１００のジェスチャーセンサにより１つのジェスチャーが検知された場合、前記第２指に指輪型移動端末機１００が着用されていれば、第３外部機器２３０への制御命令が形成され、第２外部機器２２０への制御命令は形成されない。
【０２４９】
一方、前記第３指に指輪型移動端末機１００が着用されていれば、第２外部機器２２０への制御命令が形成され、第３外部機器２３０への制御命令は形成されない。
【０２５０】
つまり、複数の外部機器と無線通信を行う場合、指輪型移動端末機１００が着用された指によって制御対象となる外部機器が決定され、ユーザは複数の外部機器のうち前記指に対応する外部機器のみを制御することができる。
【０２５１】
以上、指に関する情報及び制御命令による制御情報を移動端末機により表示する実施形態を例に挙げて説明したが、前記情報は移動端末機以外の外部機器の出力部により提供することもできる。また、特定の指に指輪型移動端末機が着用された状態で、前記外部機器は、前記指に関する情報及びユーザが前記指輪型移動端末機を用いて入力した制御命令を受信する。以下、指輪型移動端末機を介して受信された制御命令を用いて外部機器を制御する方法について具体的に説明する。
【０２５２】
図１２Ａ及び図１２Ｂは検知された指紋に対応する機能を実行する制御方法を説明するための概念図である。本実施形態による指輪型移動端末機１００は、外周面の少なくとも一領域に形成されるディスプレイ部１５１を含む。
【０２５３】
図１２Ａを参照すると、制御部１８０は、指紋検知部４００により指紋が検知されると、前記指紋に対応して制御されるように設定された外部機器のアイコンを含む第１画面情報５１０を出力するようにディスプレイ部１５１を制御する。
【０２５４】
次に、図１２Ｂを参照して指に対応するモードを設定する制御方法について説明する。制御部１８０は、指の指紋が検知されると、前記検知された指に対応して設定されたモードをアクティブ化する。また、ディスプレイ部１５１は、複数のモードのうち前記検知された指に対応するモードがアクティブ化されたことを通知する第２画面情報５２０を出力する。
【０２５５】
例えば、第１指に指輪型移動端末機１００が着用された場合、制御部１８０は、運転モードをアクティブ化する。また、制御部１８０は、前記運転モードで車両に制御命令を送信するための制御画像５２１を出力するようにディスプレイ部１５１を制御する。また、運転モードで、移動端末機は、現在の位置及び目的地情報を含むカーナビ画面を表示し、ユーザの音声命令を受信するためにマイクをアクティブ化するように設定される。前記運転モードがアクティブ化されると、前記移動端末機は、ＴＴＳ（Text To Speech）機能がアクティブ化される。
【０２５６】
特定のモードがアクティブ化されると、前記移動端末機は、周辺に位置する外部機器を制御できるように、前記外部機器が制御信号を受信できる待機状態となるように予め制御することができる。また、前記特定のモードで、前記外部機器の制御状態に関する情報を予め受信してユーザに提供することができる。
【０２５７】
本実施形態によれば、前記指輪型移動端末機が装着される指の種類に応じて、制御対象となる外部機器又は特定のモードが自動で実行される。
【０２５８】
本実施形態による指輪型移動端末機１００は、ディスプレイ部１５１を備えなくてもよい。指輪型移動端末機１００は、前記指紋を保存し、指紋に応じた機能を設定するためにディスプレイ部１５１以外の他の出力モジュールを用いるようにしてもよい。例えば、指輪型移動端末機１００の音響出力部及び発光部から出力される音及び光を用いて、前記指紋を保存して機能を設定する段階を行うようにガイドすることができる。
【０２５９】
以上、異なる指に装着された指輪型移動端末機にアクティブ化された異なるモードにおける各制御命令による端末機の制御方法について説明した。一実施形態によれば、異なる指に指輪型移動端末機１００が着用され、実質的に同一の制御命令が形成された場合（例えば、同一のジェスチャーが入力された場合）、異なる機能が実行される。以下、図１３を参照して具体的に説明する。
【０２６０】
図１３は異なる指に装着された指輪型移動端末機による移動端末機の制御方法を説明するための概念図である。本実施形態によれば、制御部１８０は、指輪型移動端末機１００が装着された指に応じて、異なるモードをアクティブ化する。例えば、制御部１８０は、第２指に指輪型移動端末機１００が装着された場合、アクティブモードに切り替え、第１指に指輪型移動端末機１００が装着された場合、運転モードに切り替える。
【０２６１】
制御部１８０は、前記指に応じて異なるモードを実行し、手の動きにより生成されたジェスチャー信号に基づいて異なる制御命令を形成する。
【０２６２】
例えば、指輪型移動端末機１００は、移動端末機２３０と無線通信を行う。移動端末機２３０にメッセージが受信された場合、指輪型移動端末機１００によりジェスチャー信号が形成される。
【０２６３】
前記第２指に指輪型移動端末機１００が装着された場合、前記アクティブモードが実行され、前記ジェスチャー信号に基づいて前記メッセージの内容を出力するための第１制御命令が形成される。
【０２６４】
一方、前記第１指に指輪型移動端末機１００が装着された場合、前記運転モードが実行され、前記ジェスチャー信号に基づいて前記メッセージの内容を音声出力するための第２制御命令が形成される。
【０２６５】
すなわち、実質的に同一のジェスチャー信号に基づいて、異なるモードで異なる制御命令を形成する。よって、指輪型移動端末機１００が装着される指によって区別される異なるモードで移動端末機を異なる方法で制御することができる。
【０２６６】
本実施形態によれば、指輪型移動端末機１００は、指を全て開いた状態で形成されるジェスチャー信号を検知するが、これに限定されるものではない。指輪型移動端末機１００は、ユーザが指の一部を折り曲げた状態で行うジェスチャーを検知することもでき、指輪型移動端末機１００の外周面に形成されたタッチセンサ部１２４（図３Ａ参照）へのタッチ入力に基づいて手の動作の状態を検知することもできる。
【０２６７】
以下、図１４を参照して、指輪型移動端末機の装着位置に基づいて外部機器の制御を制限する制御方法について説明する。
【０２６８】
図１４は指輪型移動端末機の装着位置に基づいて外部機器の制御を制限する制御方法を説明するための概念図である。本発明による指輪型移動端末機１００は、ディスプレイ部１５１、指紋検知部４００などに基づいて、前方領域と後方領域に分けられる。本実施形態においては、ディスプレイ部１５１が形成された領域を前方領域と定義し、指紋検知部４００に対応する領域を後方領域と定義する。
【０２６９】
図１４の（ａ）及び（ｂ）を参照すると、指輪型移動端末機１００がユーザの指に着用されてジェスチャーを検知すると、第２外部機器２２０の画面情報を変更させる制御命令が形成される。
【０２７０】
図１４の（ｃ）及び（ｄ）を参照すると、指輪型移動端末機１００がユーザの指で回転して前記後方領域が手の甲側に露出した場合、前記ジェスチャーによる制御命令の形成が制限される。
【０２７１】
指輪型移動端末機１００の着用位置は、指紋検知部４００により検知される指の指紋又はシワにより決定される。
【０２７２】
これにより、ユーザは、外部機器の制御を制限するために制御命令などを入力するのではなく、指輪型移動端末機１００の位置を変更して外部機器の制御を制限することにより、ユーザの手の動きを自由にすることができる。また、ユーザの意思によって前記制御命令の検知が制限されることから、指輪型移動端末機１００は、ユーザの制御命令を検知し続けなくてもよいので、不要な電力消費を防止することができる。
【０２７３】
以下、図１５を参照して、血流センサ部を用いた生体情報に基づいてモードを実行させる制御方法について説明する。
【０２７４】
図１５は血流センサ部を用いた生体情報に基づいてモードを実行させる制御方法を説明するための概念図である。図６及び図１５を参照すると、指輪型移動端末機１００は、ユーザの血流量を含む生体情報を収集する血流センサ部６００をさらに含む。本実施形態による制御部１８０は、前記生体情報に基づいて異なるモードを実行する。
【０２７５】
制御部１８０は、血流センサ部６００により検知された生体情報を示す生体情報画像５２２を出力するようにディスプレイ部１５１を制御する。制御部１８０は、前記生体情報に基づいてユーザの状態を分類し、前記ユーザの状態に対応するモードをアクティブ化する。例えば、血流量が多い場合、休憩が必要な状態と判断してリラックスモードをアクティブ化することができる。
【０２７６】
図１６は指紋に対応する機能を設定する制御方法を説明するための概念図である。図１６の（ａ）を参照すると、指紋検知部４００は指紋を認識し、制御部１８０は前記指紋を登録するか否かを確認する確認画面を出力するようにディスプレイ部１５１を制御する。例えば、制御部１８０は、前記指紋と実質的に同一であると判断される基準指紋をメモリ１７０から検索し、前記基準指紋がメモリ１７０から検索されない場合、前記指紋の登録のための設定機能を実行する。
【０２７７】
制御部１８０は、前記指紋に対応する機能を選択するための設定画面を出力するようにディスプレイ部１５１を制御する。図１６の（ｂ）を参照すると、制御部１８０は、前記指紋を有する指に対応するモードを設定するための第１設定画面５２３を出力することができる。図１６の（ｃ）を参照すると、制御部１８０は、前記指紋を有する指に対応して制御するための外部機器を設定するための第２設定画面５２４を出力することができる。
【０２７８】
図１７Ａ及び図１７Ｂは連動する移動端末機のデータを出力する指輪型移動端末機の制御方法を説明するための概念図である。図１７Ａを参照すると、移動端末機２３０のディスプレイユニットは、データを選択するための第１選択ウィンドウ４３１及び複数のデータ４３２を出力する。例えば、第１選択ウィンドウ４３１には指輪型移動端末機１００の画像が表示され、複数のデータ４３２は移動端末機２３０により起動される機能に対応する。
【０２７９】
移動端末機２３０のディスプレイユニットへのタッチ入力に基づいて、複数のデータ４３２のいずれかが指輪型移動端末機１００のディスプレイ部１５１に出力されるように制御される。例えば、前記タッチ入力は、前記データをタッチした状態で第１選択ウィンドウ４３１に動かしてそのタッチを解除するドラッグ方式のタッチ入力である。
【０２８０】
次に、図１７Ｂを参照して、各指にディスプレイ部１５１に出力するデータを指定する制御方法について説明する。図１７Ｂの（ａ）及び（ｂ）を参照すると、移動端末機２３０のディスプレイユニットは、第１選択ウィンドウ４３１にタッチ入力が行われると、ユーザの指を選択するための第２選択ウィンドウ４３３を出力する。第２選択ウィンドウ４３３は、ユーザの指を示す複数のアイコンからなる。同図には５つのアイコンからなる場合を示すが、ユーザの両手の指と他のユーザの指を選択できるアイコンからなるようにしてもよい。
【０２８１】
移動端末機２３０のディスプレイユニットは、前記複数のアイコンのいずれかへのタッチ入力に基づいて複数のデータ４３２を出力する。また、移動端末機２３０のディスプレイユニットは、第１選択ウィンドウ４３１に前記選択された指を示す画像を表示する。
【０２８２】
移動端末機２３０のディスプレイユニットへのタッチ入力に基づいて、該当データが指輪型移動端末機１００のディスプレイ部１５１に出力されるように制御される。この場合、制御部１８０は、前記選択された指の指紋が指紋検知部４００により検知された場合、前記選択されたデータをディスプレイ部１５１に出力するように制御する。例えば、前記指の指紋が検知された場合、前記制御部は、ディスプレイ部１５１をアクティブ化し、前記選択されたデータを出力するようにディスプレイ部１５１を制御することができる。
【０２８３】
以下、図１８を参照して、指紋検知部により検知された手に応じて画面情報の出力方向を制御する制御方法について説明する。
【０２８４】
図１８は指紋検知部により検知された手に応じて画面情報の出力方向を制御する制御方法を説明するための概念図である。
【０２８５】
指紋検知部４００は、前記指紋に基づいてユーザの右手及び左手を区別することができる。本実施形態による指輪型移動端末機１００は、左手に着用された場合、画面情報の出力方向が左から右に設定され、右手に着用された場合、画面情報の出力方向が右から左に設定される。
【０２８６】
本実施形態による指輪型移動端末機１００が移動端末機２３０と無線接続された場合、指輪型移動端末機１００が着用された手によって、移動端末機２３０のディスプレイユニットに出力される画面情報の出力状態も異なるようにしてもよい。例えば、指輪型移動端末機１００が着用された手によって、前記画面情報に含まれてタッチ入力を受信するアイコンの位置、前記画面情報の出力順序、仮想キーボードの出力位置などが異なるようにすることができる。
【０２８７】
同図には具体的に示していないが、指紋検知部４００は、前記指紋の形状に基づいて、前記指が挿入される指輪型移動端末機１００の方向を検知することができる。よって、前記画面情報を前記指が入る方向と反対方向に出力するようにディスプレイ部１５１を制御することができる。
【０２８８】
図１９Ａ〜図１９Ｃは指に応じて異なる制御命令を形成する方法を説明するための概念図である。
【０２８９】
まず、図１９Ａを参照して、制御命令の形成を制限する制御方法について説明する。図１９Ａの（ａ）は第２指に指輪型移動端末機１００が装着されて指輪型移動端末機１００と第２外部機器２２０が連動する場合を示す。制御部１８０は、前記第２指に指輪型移動端末機１００が着用された状態で、タッチセンサ部１２４へのタッチ入力に基づいて、第２外部機器２２０に出力される画面情報を変更するための制御命令を形成する。
【０２９０】
ただし、図１９Ａの（ｂ）を参照すると、制御部１８０は、第３指に指輪型移動端末機１００が装着された場合、タッチセンサ部１２４へのタッチ入力を制限する。つまり、制御部１８０は、タッチセンサ部１２４に実質的に同一のタッチ入力が行われても前記制御命令を形成しない。
【０２９１】
これにより、特定の指に指輪型移動端末機１００が装着された場合、ユーザの意図しないタッチ入力に基づく制御命令の形成を防止することができる。
【０２９２】
次に、図１９Ｂを参照して、特定の指に指輪型移動端末機が装着された場合に制御命令を形成する制御方法について説明する。本実施形態による指輪型移動端末機１００は、内周面に印加される圧力を検知する圧力検知センサ（図示せず）をさらに含んでもよい。
【０２９３】
例えば、第３指に指輪型移動端末機１００が装着された場合、制御部１８０は、前記圧力検知センサをアクティブ化することができる。制御部１８０は、ユーザの手のジェスチャーにより前記内周面に印加される圧力の変化が前記圧力検知センサにより検知されると、特定の機能を実行するための制御命令を形成することができる。
【０２９４】
例えば、ユーザが拳を握った場合、前記圧力検知センサは、圧力の変化を検知し、移動端末機２３０のカメラにより撮影を行わせる制御命令を形成することができる。すなわち、特定の指に指輪型移動端末機１００が装着された場合、特定のセンサをアクティブ化して機能を制御することができる。
【０２９５】
あるいは、指輪型移動端末機１００の内部フレーム１０２ｂを構成する弾性部Ｅ又は支持部１０７（図７Ｂ及び図７Ｃを参照）により、指の太さの変化によって指輪型移動端末機１００の内周面が変形するが、前記センサは、前記指の太さの変化により印加される圧力の変化を検知して制御命令を形成することができる。
【０２９６】
次に、図１９Ｃを参照して、異なる指に指輪型移動端末機が装着された場合に異なる制御命令を形成する制御方法について説明する。例えば、指輪型移動端末機１００は、第２外部機器２２０と無線通信を行う。
【０２９７】
図１９Ｃの（ａ）を参照すると、第２指に指輪型移動端末機１００が装着された状態で、特定のジェスチャーが検知されると、制御部１８０は、第２外部機器２２０の画面情報を変更するための第１制御命令を形成する。例えば、第２外部機器２２０がテレビである場合、前記第１制御命令は、チャンネルを変更させる制御命令であってもよい。
【０２９８】
一方、図１９Ｃの（ｂ）を参照すると、第４指（薬指）に指輪型移動端末機１００が装着された状態で、前記特定のジェスチャーが検知されると、制御部１８０は、出力される音のボリュームを調整するための第２制御命令を形成する。例えば、右方向に移動するジェスチャーの場合、指輪型移動端末機１００が第２指に装着されていれば、上のチャンネルに変更させる制御命令を形成し、指輪型移動端末機１００が第４指に装着されていれば、ボリュームを増加させる制御命令を形成する。
【０２９９】
つまり、ユーザは、同一のジェスチャーに基づいて拡張又は増加させる対象を指によって選択することができる。ただし、第１指〜第５指は説明の便宜上例示したものであり、指の種類に応じた制御が図面及び説明により限定されるものではない。
【０３００】
以下、図２０を参照して、タッチセンサ及び指紋検知部により検知された指に応じて外部機器を選択的に制御する制御方法について説明する。
【０３０１】
図２０はタッチセンサ及び指紋検知部により検知された指に応じて外部機器を選択的に制御する制御方法を説明するための概念図である。本実施形態による指輪型移動端末機１００は、外周面に形成されるタッチセンサ部をさらに含む。制御部１８０は、指輪型移動端末機１００をつまんだユーザの２本の指のいずれか一方の指紋を検知するように指紋検知部４００を制御し、他方の指による前記タッチセンサ部へのタッチ入力に基づいて前記外部機器を制御するための制御命令を形成する。
【０３０２】
制御部１８０は、指紋検知部４００により検知された指に応じて、複数の外部機器のうち制御対象となる少なくとも１つの外部機器を選択することができる。
【０３０３】
例えば、指輪型移動端末機１００が複数の外部機器と無線接続されており、複数の外部機器が電源オフ状態の場合、制御部１８０は、指紋検知部４００により検知された指に対応する少なくとも１つの外部機器を選択する。制御部１８０は、前記タッチ入力に基づいて前記選択された外部機器の電源をオンにするための制御命令を形成する。
【０３０４】
本実施形態によれば、前記タッチセンサと前記指紋検知部を用いて、複数の無線機器の一部を選択的に制御するために一部を選択的にアクティブ化することができる。
【０３０５】
図２１は異なるユーザの手に応じた異なる制御方法を説明するための概念図である。本実施形態において、メモリ１７０は、指紋検知部４００により検知された指紋に基づいて区別されたユーザに応じた異なる制御命令を保存する。
【０３０６】
指輪型移動端末機１００が第２外部機器２２０と無線接続されている状態において、制御部１８０は、手Ａの指紋が指紋検知部４００により検知された場合、第１設定による画面情報を出力する第１制御命令を形成する。一方、制御部１８０は、手Ｂの指紋が指紋検知部４００により検知された場合、前記第１設定とは異なる第２設定による画面情報を出力する第２制御命令を形成する。ここで、前記第１設定及び前記第２設定は、画面情報の出力状態、明るさ、画面情報の種類（例えば、チャンネル）、音量などの設定であってもよい。
【０３０７】
第２外部機器２２０がテレビである場合、ユーザはユーザの手又は指に対応して出力されるチャンネルを設定することができる。すなわち、ユーザ個人のお気に入りチャンネルを設定することができる。あるいは、制御部１８０は、ユーザのお気に入りチャンネル及び設定状態に関する情報を収集及び分析し、ユーザの指の指紋が検知されると分析結果に基づいて第２外部機器２２０を制御することができる。よって、ユーザ毎に設定された設定状態に基づいて第２外部機器２２０を制御することができる。
【０３０８】
前述した本発明は、コンピュータ可読媒体にコンピュータ可読コードで実現することができる。コンピュータ可読媒体は、コンピュータシステムにより読み取り可能なデータが記録されるあらゆる種類の記録装置を含む。コンピュータ可読媒体は、ＨＤＤ、ＳＳＤ、ＳＤＤ、ＲＯＭ、ＲＡＭ、ＣＤ−ＲＯＭ、磁気テープ、フロッピーディスク、光データ記憶装置などを含み、かつ搬送波（例えば、インターネットによる送信）状に実現されるものも含む。また、前記コンピュータは、端末機の制御部１８０を含んでもよい。よって、本発明の詳細な説明は例示的なものであり、あらゆる面で制限的に解釈されてはならない。本発明の範囲は添付の特許請求の範囲の合理的解釈により定められるべきであり、本発明の等価的範囲内での全ての変更が本発明の範囲に含まれる。
【符号の説明】
【０３０９】
１００    指輪型移動端末機
１０１    本体
１０１’    挿入領域
１０１ａ    収納部
１０２ａ    外部フレーム
１０２ｂ    内部フレーム
１１０    無線通信部
１２４    タッチセンサ部
１４３    電極部
１４４    検出部
１５１    ディスプレイ部
１８０    制御部
２１０    第１外部機器
２２０    第２外部機器
２３０    第３外部機器
２３０    移動端末機
４００    指紋検知部
４１０    第１指紋検知部
４２０    第２指紋検知部
４３０    第３指紋検知部
４３１、４３２、４３３、４３４、４３５    指紋検知ユニット
５１０    第１ガイド部
５１１    ガイド板
５１２    弾性部
５１３    ヒンジ部
５１４    固定突起
５１５    固定凹部
５２０    第２ガイド部
５３０    第３ガイド部
６００    血流センサ部
【図１】
0006482951.tif 000002
【図２Ａ】
0006482951.tif 000003
【図２Ｂ】
0006482951.tif 000004
【図２Ｃ】
0006482951.tif 000005
【図３Ａ】
0006482951.tif 000006
【図３Ｂ】
0006482951.tif 000007
【図３Ｃ】
0006482951.tif 000008
【図４Ａ】
0006482951.tif 000009
【図４Ｂ】
0006482951.tif 000010
【図４Ｃ】
0006482951.tif 000011
【図４Ｄ】
0006482951.tif 000012
【図５Ａ】
0006482951.tif 000013
【図５Ｂ】
0006482951.tif 000014
【図５Ｃ】
0006482951.tif 000015
【図６】
0006482951.tif 000016
【図７Ａ】
0006482951.tif 000017
【図７Ｂ】
0006482951.tif 000018
【図７Ｃ】
0006482951.tif 000019
【図７Ｄ】
0006482951.tif 000020
【図８Ａ】
0006482951.tif 000021
【図８Ｂ】
0006482951.tif 000022
【図９Ａ】
0006482951.tif 000023
【図９Ｂ】
0006482951.tif 000024
【図９Ｃ】
0006482951.tif 000025
【図９Ｄ】
0006482951.tif 000026
【図１０Ａ】
0006482951.tif 000027
【図１０Ｂ】
0006482951.tif 000028
【図１０Ｃ】
0006482951.tif 000029
【図１０Ｄ】
0006482951.tif 000030
【図１０Ｅ】
0006482951.tif 000031
【図１０Ｆ】
0006482951.tif 000032
【図１１Ａ】
0006482951.tif 000033
【図１１Ｂ】
0006482951.tif 000034
【図１２Ａ】
0006482951.tif 000035
【図１２Ｂ】
0006482951.tif 000036
【図１３】
0006482951.tif 000037
【図１４】
0006482951.tif 000038
【図１５】
0006482951.tif 000039
【図１６】
0006482951.tif 000040
【図１７Ａ】
0006482951.tif 000041
【図１７Ｂ】
0006482951.tif 000042
【図１８】
0006482951.tif 000043
【図１９Ａ】
0006482951.tif 000044
【図１９Ｂ】
0006482951.tif 000045
【図１９Ｃ】
0006482951.tif 000046
【図２０】
0006482951.tif 000047
【図２１】
0006482951.tif 000048